(57)【要約】【課題】部屋内に放射性ガスや放射性希ガスが送られる事態を防ぎ、かつ部屋内に酸素を供給する。【解決手段】部屋２と、部屋外にて放射性ガスの通過を遮断するフィルタ部３Ａと、フィルタ部に空気を通過させる送風機３Ｂと、フィルタ部の下流側と部屋とを連通する送気管３Ｃと、送気管を開閉する開閉弁３Ｄと、部屋外にて放射性希ガスおよび放射性ガスを検出する放射性ガス検出手段４と、部屋内圧力を検出する部屋内圧力検出手段５と、部屋内に酸素ガスを供給する酸素ガス供給手段６と、部屋内圧力が部屋外圧力よりも高くなるように調整する圧力調整手段２Ｅ，６Ｃと、放射性希ガスが検出された場合、送風機を停止して開閉弁を閉作動させ、かつ酸素ガス供給手段を作動させつつ圧力調整手段を作動させる一方、放射性希ガスを除き放射性ガスが検出された場合、送風機を運転するとともに開閉弁を開作動させ、かつ圧力調整手段を作動させる制御手段９とを備える。【選択図】図１
2015007603.tif 000002
【特許請求の範囲】
【請求項１】
壁、天井および床により囲まれた部屋と、
前記部屋の外部に設けられて放射性ガスの通過を遮断するフィルタ部と、
前記フィルタ部の内部に空気を通過させる送風機と、
前記フィルタ部の下流側と前記部屋とを連通する送気管と、
前記送気管に設けられて当該送気管を開閉する開閉弁と、
前記部屋の外部に設けられて放射性希ガスおよび放射性ガスを検出する放射性ガス検出手段と、
前記部屋の内部の圧力を検出する部屋内圧力検出手段と、
前記部屋の内部に酸素ガスを供給する酸素ガス供給手段と、
前記部屋の内部の圧力が前記部屋の外部の圧力よりも高くなるように調整する圧力調整手段と、
前記放射性ガス検出手段により放射性希ガスが検出された場合、前記送風機を停止して前記開閉弁を閉作動させ、かつ前記酸素ガス供給手段を作動させつつ前記部屋内圧力検出手段により検出する圧力が前記部屋の外部の圧力よりも高くなるように前記圧力調整手段を作動させる一方、前記放射性ガス検出手段により放射性希ガスを除き放射性ガスが検出された場合、前記送風機を運転するとともに前記開閉弁を開作動させ、かつ前記部屋内圧力検出手段により検出する圧力が前記部屋の外部の圧力よりも高くなるように前記圧力調整手段を作動させる制御手段と、
を備えることを特徴とする換気システム。
【請求項２】
壁、天井および床により囲まれた部屋と、
前記部屋の外部に設けられて放射性ガスの通過を遮断するフィルタ部と、
前記フィルタ部の内部に空気を通過させる送風機と、
前記フィルタ部の下流側と前記部屋とを連通する送気管と、
前記送気管から分岐して外気に開放される排気管と、
前記送気管と前記排気管との分岐部に設けられた三方弁と、
前記フィルタ部の上流側、および前記フィルタ部の下流側である前記三方弁よりも上流側にそれぞれ設けられて放射性希ガスおよび放射性ガスを検出する放射性ガス検出手段と、
前記部屋の内部の圧力を検出する部屋内圧力検出手段と、
前記部屋の内部に酸素ガスを供給する酸素ガス供給手段と、
前記部屋の内部の圧力が前記部屋の外部の圧力よりも高くなるように調整する圧力調整手段と、
前記フィルタ部の上流側の前記放射性ガス検出手段により放射性ガスが検出された場合、前記送風機を運転するとともに前記三方弁により前記送気管を前記部屋に開通させ、かつ前記部屋内圧力検出手段により検出する圧力が前記部屋の外部の圧力よりも高くなるように前記圧力調整手段を作動させる一方、前記フィルタ部の下流側の前記放射性ガス検出手段により放射性希ガスが検出された場合、前記送風機を運転するとともに前記三方弁により前記排気管を開通させて前記送気管を前記部屋に対して閉じ、かつ前記酸素ガス供給手段を作動させつつ前記部屋内圧力検出手段により検出する圧力が前記部屋の外部の圧力よりも高くなるように前記圧力調整手段を作動させる制御手段と、
を備えることを特徴とする換気システム。
【請求項３】
前記部屋の内部の空気を一部取り込み、取り込んだ前記空気中の二酸化炭素を除去し、二酸化炭素を除去した前記空気を前記部屋の内部に送る二酸化炭素除去手段を備えることを特徴とする請求項１または２に記載の換気システム。
【請求項４】
前記部屋の内部の空気を一部取り込み、取り込んだ前記空気中の有害物質を除去し、有害物質を除去した前記空気を前記部屋の内部に送る有害物質除去手段を備えることを特徴とする請求項１〜３のいずれか一つに記載の換気システム。
【請求項５】
前記フィルタ部は、前記送気管に対して着脱可能に設けられることを特徴とする請求項１〜４のいずれか一つに記載の換気システム。
【請求項６】
前記フィルタ部は、複数設けられて、前記送気管から複数に分岐された各分岐管にそれぞれ接続されており、かつ各前記分岐管に開閉弁がそれぞれ設けられ、前記制御手段は、フィルタ交換時期に応じて各前記開閉弁を選択的に開閉することを特徴とする請求項１〜４のいずれか一つに記載の換気システム。
【請求項７】
前記部屋の外部に設けられて有毒ガスの通過を遮断する有毒ガスフィルタ部と、
前記有毒ガスフィルタ部の下流側と前記フィルタ部の上流側とを連通する有毒ガスフィルタ送気管と、
前記有毒ガスフィルタ送気管に設けられて当該有毒ガスフィルタ送気管を開閉する有毒ガスフィルタ開閉弁と、
前記部屋の外部に設けられて火災の発生を検出する火災検出手段と、
前記有毒ガスフィルタ送気管における前記有毒ガスフィルタ開閉弁の下流側に接続されて外気に通じる有毒ガスフィルタバイパス管と、
前記有毒ガスフィルタバイパス管に設けられて当該有毒ガスフィルタバイパス管を開閉する有毒ガスフィルタバイパス開閉弁と、
前記有毒ガスフィルタ送気管における前記有毒ガスフィルタ開閉弁の下流側に一端が接続され、前記送気管における前記開閉弁の下流側であって前記送風機の上流側に他端が接続されたバイパス管と、
前記バイパス管に設けられて当該バイパス管を開閉するバイパス開閉弁と、
をさらに備え、
前記制御手段は、前記火災検出手段により火災の発生が検出されて前記放射性ガス検出手段により放射性希ガスおよび放射性ガスが検出されない場合、前記送風機を運転し、前記有毒ガスフィルタバイパス開閉弁および前記開閉弁を閉作動させるとともに前記有毒ガスフィルタ開閉弁および前記バイパス開閉弁を開作動させ、かつ前記部屋内圧力検出手段により検出する圧力が前記部屋の外部の圧力よりも高くなるように前記圧力調整手段を作動させ、または前記火災検出手段により火災の発生が検出されて前記放射性ガス検出手段により放射性希ガスを除き放射性ガスが検出された場合、前記送風機を運転し、前記有毒ガスフィルタバイパス開閉弁および前記バイパス開閉弁を閉作動させるとともに前記有毒ガスフィルタ開閉弁および前記開閉弁を開作動させ、かつ前記部屋内圧力検出手段により検出する圧力が前記部屋の外部の圧力よりも高くなるように前記圧力調整手段を作動させ、あるいは前記火災検出手段により火災の発生が検出されず前記放射性ガス検出手段により放射性希ガスを除き放射性ガスが検出された場合、前記送風機を運転し、前記有毒ガスフィルタ開閉弁および前記バイパス開閉弁を閉作動させるとともに前記有毒ガスフィルタバイパス開閉弁および前記開閉弁を開作動させ、かつ前記部屋内圧力検出手段により検出する圧力が前記部屋の外部の圧力よりも高くなるように前記圧力調整手段を作動させ、もしくは前記火災検出手段により火災の検出に関わらず前記放射性ガス検出手段により放射性希ガスが検出された場合、前記送風機を停止して前記有毒ガスフィルタ開閉弁、前記有毒ガスフィルタバイパス開閉弁、前記開閉弁および前記バイパス開閉弁を閉作動させ、かつ前記酸素ガス供給手段を作動させつつ前記部屋内圧力検出手段により検出する圧力が前記部屋の外部の圧力よりも高くなるように前記圧力調整手段を作動させる、ことを特徴とする請求項１〜６のいずれか一つに記載の換気システム。
【請求項８】
前記有毒ガスフィルタ部は、前記有毒ガスフィルタ送気管に対して着脱可能に設けられることを特徴とする請求項７に記載の換気システム。
【請求項９】
前記部屋は、原子力設備を制御・監視する制御室であることを特徴とする請求項１〜８のいずれか一つに記載の換気システム。
【請求項１０】
前記部屋は、居室であることを特徴とする請求項１〜８のいずれか一つに記載の換気システム。
【請求項１１】
前記部屋および前記部屋に付属する構成は、一体または個別で移動可能に構成されることを特徴とする請求項１〜１０のいずれか一つに記載の換気システム。
【発明の詳細な説明】
【技術分野】
【０００１】
本発明は、放射性ガスの除去や放射性希ガスの遮断を行いつつ換気を行う換気システムに関する。
【背景技術】
【０００２】
従来、例えば、特許文献１では、原子力発電所で事故が発生した場合、大量の放射性物質が放出される可能性があり、このような場合、送風機により給気ルーバから外気を吸引しフィルタを通した後、空気調和機を経て送風機により制御室に給気することが示されている。フィルタは、粒子状で浮遊する放射性物質、放射性よう素（以下、放射性ガスという）を除去しているため、制御室の操作員の被曝は低減される。
【０００３】
また、特許文献１では、放射性希ガスはフィルタにかからず、制御室に送られてしまうため、事故時に制御室を隔離するとともに二酸化炭素除去装置により制御室内の二酸化炭素を除去することが示されている。
【先行技術文献】
【特許文献】
【０００４】
【特許文献１】特開昭６１−２８０３３６号公報
【発明の概要】
【発明が解決しようとする課題】
【０００５】
上述した特許文献１では、二酸化炭素の除去により、換気空調システム系の気圧が低下する場合は、隔離ダンパを開けて外気を吸引し二酸化炭素の除去量の空気を取り入れるようにすることが示されている。しかし、これでは、放射性希ガスが制御室に送られる事態を防ぐことができなくなってしまう。一方、上述した特許文献１では、酸素の消費量は、二酸化炭素発生分程度であるので、５０時間で０．５ｖｏｌ％の酸素を消費する程度である。空気中には２０％の酸素が含まれているので無視しうる、と示されている。しかし、上記以上の時間が経過する場合は、酸素の消費を無視することはできない。
【０００６】
本発明は上述した課題を解決するものであり、制御室などの部屋内に対して放射性ガスや放射性希ガスが送られる事態を防ぎ、かつ部屋内に酸素を供給することのできる換気システムを提供することを目的とする。
【課題を解決するための手段】
【０００７】
上述の目的を達成するために、第１の発明の換気システムは、壁、天井および床により囲まれた部屋と、前記部屋の外部に設けられて放射性ガスの通過を遮断するフィルタ部と、前記フィルタ部の内部に空気を通過させる送風機と、前記フィルタ部の下流側と前記部屋とを連通する送気管と、前記送気管に設けられて当該送気管を開閉する開閉弁と、前記部屋の外部に設けられて放射性希ガスおよび放射性ガスを検出する放射性ガス検出手段と、前記部屋の内部の圧力を検出する部屋内圧力検出手段と、前記部屋の内部に酸素ガスを供給する酸素ガス供給手段と、前記部屋の内部の圧力が前記部屋の外部の圧力よりも高くなるように調整する圧力調整手段と、前記放射性ガス検出手段により放射性希ガスが検出された場合、前記送風機を停止して前記開閉弁を閉作動させ、かつ前記酸素ガス供給手段を作動させつつ前記部屋内圧力検出手段により検出する圧力が前記部屋の外部の圧力よりも高くなるように前記圧力調整手段を作動させる一方、前記放射性ガス検出手段により放射性希ガスを除き放射性ガスが検出された場合、前記送風機を運転するとともに前記開閉弁を開作動させ、かつ前記部屋内圧力検出手段により検出する圧力が前記部屋の外部の圧力よりも高くなるように前記圧力調整手段を作動させる制御手段と、を備えることを特徴とする。
【０００８】
例えば、原子力設備では、当該原子力設備を制御・監視するための制御室や、制御室に従事する人の居住空間が必要である。そして、万が一の事故発生時において、制御室（制御室が何らかの損傷を受けた場合は原子力設備の制御・監視を行う代替制御室）や居室（居室が何らかの損傷を受けた場合は代替居室、または住民の避難のための非常用居室、あるいは原子力設備近くにあって緊急に避難することが困難な病院や介護施設）などのような部屋の内部の人の被曝を防止し、呼吸を維持する必要がある。ただし、放射性ガス（ガス状の放射性よう素やミスト状のセシウムやストロンチウムなどの放射性物質を空気中に含むガス）は、フィルタにより除去できるが、炉心溶融などの初期に発生する放射性希ガス（キセノン、クリプトンなどを空気中に含むガス）はフィルタでは十分に除去しきれない。そこで、本発明の換気システムによれば、放射性希ガスを検出した場合、部屋を外気から遮断して酸素ガスを供給し部屋の内部の圧力を正圧とすることで、放射性ガスを含み放射性希ガスが部屋の内部へ送られる事態を防ぐことができ、部屋の内部の人の呼吸を維持することができる。一方、本発明の換気システムによれば、放射性希ガスの発生時期は炉心溶融などの初期に限定されるため、放射性希ガスを除き放射性ガスを検出した場合は、フィルタ部により放射性ガスを除去し、部屋の内部の圧力を正圧とすることで、放射性ガスが部屋の内部へ送られる事態を防ぐことができ、部屋の内部の人の呼吸を維持することができる。
【０００９】
上述の目的を達成するために、第２の発明の換気システムは、壁、天井および床により囲まれた部屋と、前記部屋の外部に設けられて放射性ガスの通過を遮断するフィルタ部と、前記フィルタ部の内部に空気を通過させる送風機と、前記フィルタ部の下流側と前記部屋とを連通する送気管と、前記送気管から分岐して外気に開放される排気管と、前記送気管と前記排気管との分岐部に設けられた三方弁と、前記フィルタ部の上流側、および前記フィルタ部の下流側である前記三方弁よりも上流側にそれぞれ設けられて放射性希ガスおよび放射性ガスを検出する放射性ガス検出手段と、前記部屋の内部の圧力を検出する部屋内圧力検出手段と、前記部屋の内部に酸素ガスを供給する酸素ガス供給手段と、前記部屋の内部の圧力が前記部屋の外部の圧力よりも高くなるように調整する圧力調整手段と、前記フィルタ部の上流側の前記放射性ガス検出手段により放射性ガスが検出された場合、前記送風機を運転するとともに前記三方弁により前記送気管を前記部屋に開通させ、かつ前記部屋内圧力検出手段により検出する圧力が前記部屋の外部の圧力よりも高くなるように前記圧力調整手段を作動させる一方、前記フィルタ部の下流側の前記放射性ガス検出手段により放射性希ガスが検出された場合、前記送風機を運転するとともに前記三方弁により前記排気管を開通させて前記送気管を前記部屋に対して閉じ、かつ前記酸素ガス供給手段を作動させつつ前記部屋内圧力検出手段により検出する圧力が前記部屋の外部の圧力よりも高くなるように前記圧力調整手段を作動させる制御手段と、を備えることを特徴とする。
【００１０】
例えば、原子力設備では、当該原子力設備を制御・監視するための制御室や、制御室に従事する人の居住空間が必要である。そして、万が一の事故発生時において、制御室（制御室が何らかの損傷を受けた場合は原子力設備の制御・監視を行う代替制御室）や居室（居室が何らかの損傷を受けた場合は代替居室、または住民の避難のための非常用居室、あるいは原子力設備近くにあって緊急に避難することが困難な病院や介護施設）などのような部屋の内部の人の被曝を防止し、呼吸を維持する必要がある。ただし、放射性ガス（ガス状の放射性よう素やミスト状のセシウムやストロンチウムなどの放射性物質を空気中に含むガス）は、フィルタにより除去できるが、炉心溶融などの初期に発生する放射性希ガス（キセノン、クリプトンなどを空気中に含むガス）はフィルタでは十分に除去しきれない。そこで、本発明の換気システムによれば、フィルタ部の上流側の放射性ガス検出手段により放射性ガスを検出した場合、フィルタ部により放射性ガスを除去し、部屋の内部の圧力を正圧とすることで、放射性ガスが部屋の内部へ送られる事態を防ぐことができ、部屋の内部の人の呼吸を維持することができる。一方、本発明の換気システムによれば、フィルタ部の下流側の放射性ガス検出手段により放射性希ガスを検出した場合、部屋を外気から遮断して酸素ガスを供給し部屋の内部の圧力を正圧とすることで、放射性ガスを含み放射性希ガスが部屋の内部へ送られる事態を防ぐことができ、部屋の内部の人の呼吸を維持することができる。しかも、本発明の換気システムによれば、放射性希ガスを検出した場合、送風機を運転するとともに三方弁により排気管を開通させ、フィルタ部に外気を通すことで、フィルタ部が放射性ガスを除去する効果を利用してフィルタ部の上流側と下流側との放射性ガス検出手段により放射性ガスの有無および放射性希ガスの有無を検出することができる。
【００１１】
また、第３の発明の換気システムは、第１または第２の発明において、前記部屋の内部の空気を一部取り込み、取り込んだ前記空気中の二酸化炭素を除去し、二酸化炭素を除去した前記空気を前記部屋の内部に送る二酸化炭素除去手段を備えることを特徴とする。
【００１２】
部屋を外気から遮断し、この期間が長引くことで、人の呼気により部屋の内部の二酸化炭素濃度が増加する。そこで、本発明の換気システムによれば、二酸化炭素除去手段を備えることで、部屋の内部の人の健康を維持することができる。
【００１３】
また、第４の発明の換気システムは、第１〜第３のいずれか一つの発明において、前記部屋の内部の空気を一部取り込み、取り込んだ前記空気中の有害物質を除去し、有害物質を除去した前記空気を前記部屋の内部に送る有害物質除去手段を備えることを特徴とする。
【００１４】
部屋を外気から遮断し、この期間が長引くことで、一酸化炭素や、アンモニアなどの人体に有害となる有害物質濃度が増加する。そこで、本発明の換気システムによれば、有害物質除去手段を備えることで、部屋の内部の人の健康を維持することができる。
【００１５】
また、第５の発明の換気システムは、第１〜第４のいずれか一つの発明において、前記フィルタ部は、前記送気管に対して着脱可能に設けられることを特徴とする。
【００１６】
この換気システムによれば、フィルタ部を送気管に対して着脱可能に設けることで、フィルタ部を交換することができる。この結果、原子力設備の制御・監視を継続して行うことができ、または原子力設備に従事する人や原子力設備近くの住民の安全を確保することができる。
【００１７】
また、第６の発明の換気システムは、第１〜第４のいずれか一つの発明において、前記フィルタ部は、複数設けられて、前記送気管から複数に分岐された各分岐管にそれぞれ接続されており、かつ各前記分岐管に開閉弁がそれぞれ設けられ、前記制御手段は、フィルタ交換時期に応じて各前記開閉弁を選択的に開閉することを特徴とする。
【００１８】
この換気システムによれば、フィルタ部を自動的に交換することができる。この結果、原子力設備の制御・監視を継続して行うことができ、または原子力設備に従事する人や原子力設備近くの住民の安全を確保することができる。
【００１９】
また、第７の発明の換気システムは、第１〜第６のいずれか一つの発明において、前記部屋の外部に設けられて有毒ガスの通過を遮断する有毒ガスフィルタ部と、前記有毒ガスフィルタ部の下流側と前記フィルタ部の上流側とを連通する有毒ガスフィルタ送気管と、前記有毒ガスフィルタ送気管に設けられて当該有毒ガスフィルタ送気管を開閉する有毒ガスフィルタ開閉弁と、前記部屋の外部に設けられて火災の発生を検出する火災検出手段と、前記有毒ガスフィルタ送気管における前記有毒ガスフィルタ開閉弁の下流側に接続されて外気に通じる有毒ガスフィルタバイパス管と、前記有毒ガスフィルタバイパス管に設けられて当該有毒ガスフィルタバイパス管を開閉する有毒ガスフィルタバイパス開閉弁と、前記有毒ガスフィルタ送気管における前記有毒ガスフィルタ開閉弁の下流側に一端が接続され、前記送気管における前記開閉弁の下流側であって前記送風機の上流側に他端が接続されたバイパス管と、前記バイパス管に設けられて当該バイパス管を開閉するバイパス開閉弁と、をさらに備え、前記制御手段は、前記火災検出手段により火災の発生が検出されて前記放射性ガス検出手段により放射性希ガスおよび放射性ガスが検出されない場合、前記送風機を運転し、前記有毒ガスフィルタバイパス開閉弁および前記開閉弁を閉作動させるとともに前記有毒ガスフィルタ開閉弁および前記バイパス開閉弁を開作動させ、かつ前記部屋内圧力検出手段により検出する圧力が前記部屋の外部の圧力よりも高くなるように前記圧力調整手段を作動させ、または前記火災検出手段により火災の発生が検出されて前記放射性ガス検出手段により放射性希ガスを除き放射性ガスが検出された場合、前記送風機を運転し、前記有毒ガスフィルタバイパス開閉弁および前記バイパス開閉弁を閉作動させるとともに前記有毒ガスフィルタ開閉弁および前記開閉弁を開作動させ、かつ前記部屋内圧力検出手段により検出する圧力が前記部屋の外部の圧力よりも高くなるように前記圧力調整手段を作動させ、あるいは前記火災検出手段により火災の発生が検出されず前記放射性ガス検出手段により放射性希ガスを除き放射性ガスが検出された場合、前記送風機を運転し、前記有毒ガスフィルタ開閉弁および前記バイパス開閉弁を閉作動させるとともに前記有毒ガスフィルタバイパス開閉弁および前記開閉弁を開作動させ、かつ前記部屋内圧力検出手段により検出する圧力が前記部屋の外部の圧力よりも高くなるように前記圧力調整手段を作動させ、もしくは前記火災検出手段により火災の検出に関わらず前記放射性ガス検出手段により放射性希ガスが検出された場合、前記送風機を停止して前記有毒ガスフィルタ開閉弁、前記有毒ガスフィルタバイパス開閉弁、前記開閉弁および前記バイパス開閉弁を閉作動させ、かつ前記酸素ガス供給手段を作動させつつ前記部屋内圧力検出手段により検出する圧力が前記部屋の外部の圧力よりも高くなるように前記圧力調整手段を作動させる、ことを特徴とする。
【００２０】
この換気システムによれば、部屋の近くで火災が発生した場合は、有毒ガスフィルタ部により火災に伴い発生し得る有毒ガスを除去し、部屋の内部の圧力を正圧とすることで、有毒ガスが部屋の内部へ送られる事態を防ぐことができ、部屋の内部の人の呼吸を維持することができる。
【００２１】
また、第８の発明の換気システムは、第７の発明において、前記有毒ガスフィルタ部は、前記有毒ガスフィルタ送気管に対して着脱可能に設けられることを特徴とする。
【００２２】
この換気システムによれば、有毒ガスフィルタ部を有毒ガスフィルタ送気管に対して着脱可能に設けることで、有毒ガスフィルタ部を交換することができる。この結果、原子力設備の制御・監視を継続して行うことができ、または原子力設備に従事する人や原子力設備近くの住民の安全を確保することができる。
【００２３】
また、第９の発明の換気システムは、第１〜第８のいずれか一つの発明において、前記部屋は、原子力設備を制御・監視する制御室であることを特徴とする。
【００２４】
この換気システムによれば、原子力設備を制御・監視する制御室（代替制御室を含む）の内部に対して放射性ガスや放射性希ガスが送られる事態を防ぎ、かつ部屋の内部に酸素を供給することで、原子力設備の制御・監視を継続して行うことができる。
【００２５】
また、第１０の発明の換気システムは、第１〜第８のいずれか一つの発明において、前記部屋は、居室であることを特徴とする。
【００２６】
この換気システムによれば、居室（代替居室や非常用居室を含む）の内部に対して放射性ガスや放射性希ガスが送られる事態を防ぎ、かつ部屋の内部に酸素を供給することで、原子力設備に従事する人や原子力設備近くの住民の安全を確保することができる。
【００２７】
また、第１１の発明の換気システムは、第１〜第１０のいずれか一つの発明において、前記部屋および前記部屋に付属する構成は、一体または個別で移動可能に構成されることを特徴とする。
【００２８】
この換気システムによれば、部屋および部屋に付属する構成は、一体または個別で移動可能に構成されることで、原子力設備の事故時において、部屋を適した箇所に移動して設置することで、原子力設備の制御・監視を継続して行うことができ、または原子力設備に従事する人や原子力設備近くの住民の安全を確保することができる。
【発明の効果】
【００２９】
本発明によれば、部屋内に対して放射性ガスや放射性希ガスが送られる事態を防ぎ、かつ部屋内に酸素を供給することができる。
【図面の簡単な説明】
【００３０】
【図１】図１は、本発明の実施形態１に係る換気システムの概略図である。
【図２】図２は、本発明の実施形態１に係る換気システムのフィルタ部を示す概略図である。
【図３】図３は、本発明の実施形態１に係る換気システムの二酸化炭素除去部を示す概略図である。
【図４】図４は、本発明の実施形態１に係る換気システムの有害物質除去部を示す概略図である。
【図５】図５は、本発明の実施形態１に係る換気システムの動作を示すフローチャートである。
【図６】図６は、本発明の実施形態１に係る換気システムの他の動作を示すフローチャートである。
【図７】図７は、本発明の実施形態２に係る換気システムの概略図である。
【図８】図８は、本発明の実施形態３に係る換気システムの概略図である。
【図９】図９は、本発明の実施形態３に係る換気システムの動作を示すフローチャートである。
【図１０】図１０は、本発明の実施形態４に係る換気システムの概略図である。
【図１１】図１１は、本発明の実施形態４に係る換気システムの有毒ガスフィルタ部を示す概略図である。
【図１２】図１２は、本発明の実施形態４に係る換気システムの動作を示すフローチャートである。
【図１３】図１３は、本発明の実施形態４に係る換気システムの動作を示すフローチャートである。
【発明を実施するための形態】
【００３１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００３２】
［実施形態１］
図１は、本実施形態に係る換気システムの概略図であり、図２は、本実施形態に係る換気システムのフィルタ部を示す概略図であり、図３は、本実施形態に係る換気システムの二酸化炭素除去部を示す概略図であり、図４は、本実施形態に係る換気システムの有害物質除去部を示す概略図であり、図５は、本実施形態に係る換気システムの動作を示すフローチャートであり、図６は、本実施形態に係る換気システムの他の動作を示すフローチャートである。
【００３３】
図１に示すように、本実施形態の換気システム１は、部屋２と、放射性ガス除去手段３と、放射性ガス検出手段４と、部屋内圧力検出手段５と、酸素ガス供給手段６と、二酸化炭素除去手段７と、有害物質除去手段８と、制御手段９と、を含む。
【００３４】
部屋２は、壁、天井および床により囲まれたものである。この部屋２は、例えば、原子力設備を制御・監視するために原子炉建屋内に設置される制御室、会議や居住するために原子炉建屋内に設置される居室、原子力設備の事故時などに原子力設備を制御・監視するために原子炉建屋外に設置される代替制御室、原子力設備の事故時などに会議や居住するために原子炉建屋外に設置される代替居室、原子力設備の事故時などに原子力設備に従事する人や原子力設備近くの住民が避難するための非常用居室、原子力設備近くにある病院や介護施設などがある。図１においては、部屋２として、代替制御室２１および代替居室２２を示している。これら代替制御室２１および代替居室２２は、仕切壁２Ａで仕切られて相互に扉２Ｂを介して通じている。また、代替制御室２１および代替居室２２は、内部の気圧低下と空気の損失を最小限にしつつ、内外に行き来を行うためのエアロック２Ｃが設けられている。また、代替制御室２１および代替居室２２は、内部の温度や湿度を適宜保つための空調設備２Ｄが設けられている。空調設備２Ｄは、室内機２Ｄａと室外機２Ｄｂとを有し、室内機２Ｄａにより代替制御室２１および代替居室２２の内部の温度や湿度を検出して適した温度や湿度となるように制御される。また、代替制御室２１および代替居室２２は、部屋２の内部の圧力が部屋２の外部の圧力（大気圧）よりも高くなるように調整する圧力調整手段としての圧力調整手段２Ｅを有する。圧力調整手段２Ｅは、例えば、部屋２の内部の空気を部屋２の外部に排出する逆止弁や圧力調整弁などがある。
【００３５】
放射性ガス除去手段３は、ガス状の放射性よう素（よう素Ｉ２，有機よう素ＣＨ３Ｉ）の他、ミスト状のセシウム（Ｃｓ）やストロンチウム（Ｓｒ）などを含む放射性物質を含む放射性ガスの通過を遮断するものである。放射性ガス除去手段３は、フィルタ部３Ａと、送風機３Ｂと、送気管３Ｃと、開閉弁３Ｄと、を有する。
【００３６】
フィルタ部３Ａは、図２に示すように、周囲が外壁で囲まれた筒状に形成されて一端側および他端側に開口部がそれぞれ形成されたケーシング３Ａａを有している。そして、フィルタ部３Ａは、ケーシング３Ａａ内に、一端側から加熱部３Ａｂ、粗フィルタ３Ａｃ、上流側高性能フィルタ３Ａｄ、放射性ガスフィルタ３Ａｅ、および下流側高性能フィルタ３Ａｆが設けられている。
【００３７】
加熱部３Ａｂは、ケーシング３Ａａの内部に流通されるガスを加熱するためのものである。加熱部３Ａｂの配置は、放射性ガスフィルタ３Ａｅよりもガスの流通の上流側であればよい。
【００３８】
粗フィルタ３Ａｃは、例えば、対象粒子径が５０μｍ以上の空気濾過フィルタや、対象粒子径が２５μｍ以上の中高性能フィルタが適用される。
【００３９】
上流側高性能フィルタ３Ａｄおよび下流側高性能フィルタ３Ａｆは、例えば、対象粒子径が０．１５μｍで９９．９７％の除去効率のＨＥＰＡフィルタ（High  Efficiency  Particulate  Air  Filter）が適用される。
【００４０】
放射性ガスフィルタ３Ａｅは、ケーシング３Ａａの内部に流通されるガス中に含まれる放射性物質を吸着する。具体的に、放射性ガスフィルタ３Ａｅは、母体を構成する基材と、この基材に添着される添着物質とを含む。基材に用いられる材料としては、特に限定されるものではなく、表面に複数の細孔を有するものであればよく、例えば、活性炭、アルミナ、ゼオライト、シリカゲル、活性白土などが挙げられる。ゼオライトとしては、天然ゼオライトまたは合成ゼオライトのどちらでもよい。また、ゼオライトとして、モルデナイト系ゼオライトなどが挙げられる。基材は、それぞれ単独でまたは２種以上を組み合わせて使用することができる。また、放射性ガスフィルタ３Ａｅは、添着物質として、トリエチレンジアミン（ＴＥＤＡ：Tri−Ethylene−Di−Amine）または、よう化カリウム（ＫＩ）を含む。この放射性ガスフィルタ３Ａｅは、上記構成により、ガス状の放射性よう素（よう素Ｉ２，有機よう素ＣＨ３Ｉ）の他、ミスト状のセシウム（Ｃｓ）やストロンチウム（Ｓｒ）などを含む放射性物質を吸着することで、当該放射性物質を含む放射性ガスの通過を遮断する。
【００４１】
なお、図には明示しないが、フィルタ部３Ａは、ケーシング３Ａａの内部であって、放射性ガスフィルタ３Ａｅよりもガスの流通の上流側にガス処理フィルタを設けてもよい。ガス処理フィルタは、ケーシング３Ａａの内部に流通されるガス中に含まれる有機溶剤ガス成分や酸性ガス成分を捕集する。具体的に、ガス処理フィルタは、母体を構成する基材と、この基材に添着される添着物質とを含む。基材に用いられる材料としては、特に限定されるものではなく、表面に複数の細孔を有するものであればよく、例えば、活性炭、アルミナ、ゼオライト、シリカゲル、モレキュラーシーブなどが挙げられる。ゼオライトとしては、天然ゼオライトまたは合成ゼオライトのどちらでもよい。また、ゼオライトとして、モルデナイト系ゼオライトなどが挙げられる。基材は、それぞれ単独でまたは２種以上を組み合わせて使用することができる。また、ガス処理フィルタは、添着物質として、酸性成分、アルカリ成分、トリエチレンジアミン（ＴＥＤＡ：Tri−Ethylene−Di−Amine）、よう化カリウム（ＫＩ）の少なくとも１つを含む。このガス処理フィルタは、上記構成により、ガス状の放射性よう素（よう素Ｉ２，有機よう素ＣＨ３Ｉ）の他、ミスト状のセシウム（Ｃｓ）やストロンチウム（Ｓｒ）などを含む放射性物質を吸着することで、当該放射性物質を含む放射性ガスの通過を遮断することが可能である。
【００４２】
送風機３Ｂは、フィルタ部３Ａのケーシング３Ａａの内部に空気を通過させるものである。
【００４３】
送気管３Ｃは、フィルタ部３Ａの下流側と部屋２とを連通するものである。
【００４４】
開閉弁３Ｄは、送気管３Ｃに設けられて当該送気管３Ｃを開閉するものである。
【００４５】
なお、図１において、送風機３Ｂは、送気管３Ｃにおいて開閉弁３Ｄの下流側に設けられているが開閉弁３Ｄの上流側に設けられていてもよい。さらに、図１において、送風機３Ｂは、送気管３Ｃに設けられているが、フィルタ部３Ａにおけるケーシング３Ａａ内の他端側（最も下流側）に設けられていてもよい。
【００４６】
放射性ガス検出手段４は、部屋２の外部であって、例えば、フィルタ部３Ａにおけるケーシング３Ａａの一端側の外部に設けられ、放射性希ガスおよび放射性ガスを検出するものである。放射性希ガスは、キセノン（Ｘｅ）やクリプトン（Ｋｒ）などを含むものである。放射性ガス検出手段４は、ガスクロマトグラフやガンマ線検出器がある。放射性ガス検出手段４は、例えば、原子力設備の事故時において放射性ガスが発生した場合に、この放射性ガスを検出し、その後に原子炉内の燃料が溶融して放射性希ガスが発生した場合に、放射線の検出値が放射性ガスを検出した検出値を超えることで放射性希ガスを検出することができ、その後に放射線の検出値が下回ることで放射性希ガスの放射線が減衰して放射性希ガスが減少したことを検出することができる。
【００４７】
部屋内圧力検出手段５は、部屋２の内部の圧力を検出するものである。
【００４８】
酸素ガス供給手段６は、部屋２の内部に酸素ガスを供給するものである。酸素ガス供給手段６は、酸素ガス貯留部６Ａと、送気管６Ｂと、流量調整弁６Ｃと、を有する。
【００４９】
酸素ガス貯留部６Ａは、圧縮した酸素ガスを貯留するボンベや、酸素を発生する酸素発生器を含む。
【００５０】
送気管６Ｂは、酸素ガス貯留部６Ａと部屋２とを連通するものである。
【００５１】
流量調整弁６Ｃは、送気管６Ｂに設けられて当該送気管６Ｂを通過する酸素ガスの流量を調整するものである。なお、流量調整弁６Ｃは、部屋２の内部の圧力が部屋２の外部の圧力（大気圧）よりも高くなるように調整する圧力調整手段を構成する。
【００５２】
二酸化炭素除去手段７は、部屋２の内部の空気を一部取り込み、取り込んだ空気中の二酸化炭素を除去し、二酸化炭素を除去した空気を部屋２の内部に送るものである。二酸化炭素除去手段７は、二酸化炭素除去部７Ａと、吸気管７Ｂと、排気管７Ｃと、送風機７Ｄと、開閉弁７Ｅと、二酸化炭素濃度検出部７Ｆと、を有する。
【００５３】
二酸化炭素除去部７Ａは、例えば、図３に示すように、周囲が外壁で囲まれた筒状に形成されて一端側および他端側に開口部がそれぞれ形成されたケーシング７Ａａを有している。そして、二酸化炭素除去部７Ａは、ケーシング７Ａａ内に、二酸化炭素除去フィルタ７Ａｂが設けられている。二酸化炭素除去フィルタ７Ａｂは、例えば、水酸化ナトリウム（ＮａＯＨ）、水酸化リチウム（ＬｉＯＨ）などのアルカリ剤や、アミン類などのように二酸化炭素を吸着しやすい成分を粒状に固形化した二酸化炭素吸着剤からなる。従って、ケーシング７Ａａを空気が通過することで、当該空気中の二酸化炭素が吸着され濃度を低下させることができる。なお、図には明示しないが、二酸化炭素除去部７Ａは、水酸化ナトリウムの水溶液中に空気を通過させるものであってもよい。
【００５４】
吸気管７Ｂは、二酸化炭素除去部７Ａの上流側と部屋２とを連通させるものである。
【００５５】
排気管７Ｃは、二酸化炭素除去部７Ａの下流側と部屋２とを連通させるものである。
【００５６】
送風機７Ｄは、吸気管７Ｂ（または排気管７Ｃ）に設けられて、部屋２の内部の空気の一部を吸気管７Ｂを介して二酸化炭素除去部７Ａにおけるケーシング７Ａａに供給し、ケーシング７Ａａを通過した空気を排気管７Ｃを介して部屋２の内部に送るものである。
【００５７】
開閉弁７Ｅは、吸気管７Ｂ（または排気管７Ｃ）に設けられて、当該吸気管７Ｂ（または排気管７Ｃ）を開閉するものである。
【００５８】
二酸化炭素濃度検出部７Ｆは、部屋２の内部の空気中の二酸化炭素濃度を検出するものである。
【００５９】
有害物質除去手段８は、部屋２の内部の空気を一部取り込み、取り込んだ空気中の人体に有害となる有害物質を除去し、有害物質を除去した空気を部屋２の内部に送るものである。ここで、有害物質とは、人間が発生する一酸化炭素（ＣＯ）やアンモニア（ＮＨ３）などがある。有害物質除去手段８は、有害物質除去部８Ａと、吸気管８Ｂと、排気管８Ｃと、送風機８Ｄと、開閉弁８Ｅと、有害物質濃度検出部８Ｆと、を有する。
【００６０】
有害物質除去部８Ａは、図４に示すように、塩基性成分除去部８Ａａと、熱交換部８Ａｂと、加熱部８Ａｃと、燃焼部８Ａｄと、酸性成分除去部８Ａｅと、を有している。塩基性成分除去部８Ａａは、リン酸などの酸性成分を添着した酸添着活性炭を筒状のケーシングに充填したもので、ケーシングの内部を通過する空気の塩基性（アルカリ性）のアンモニアガスなどを除去する。熱交換部８Ａｂは、塩基性成分除去部８Ａａを通過した低い温度の空気が導入される伝熱管と、燃焼部８Ａｄを通過した高い温度の空気が導入される伝熱管とを有し、各伝熱管の間で熱交換することで、塩基性成分除去部８Ａａを通過した空気と、燃焼部８Ａｄを通過した空気との熱回収を行う。加熱部８Ａｃは、熱交換部８Ａｂを通過した空気を、後段の燃焼部８Ａｄでの燃焼に必要な温度（例えば、３００℃以上）に加熱する。燃焼部８Ａｄは、加熱部８Ａｃで加熱された空気を燃焼することで、空気中に微量含まれる有害ガス成分を燃焼し、ＳＯ２，ＮＯｘ，ＣＯ２などの酸性ガスとする。燃焼部８Ａｄは、触媒を充填した触媒燃焼器や、電気ヒータなどによる直接燃焼器などが選定できる。燃焼部８Ａｄを通過した空気は、上記熱交換部８Ａｂにて冷却される。酸性成分除去部８Ａｅは、アルカリ成分を添着したアルカリ添着活性炭を筒状のケーシングに充填したもので、ケーシングの内部を通過する空気の酸性ガス成分を除去する。すなわち、熱交換部８Ａｂを通過した空気の酸性ガス成分を除去する。
【００６１】
吸気管８Ｂは、有害物質除去部８Ａにおける塩基性成分除去部８Ａａと部屋２とを連通させるものである。
【００６２】
排気管８Ｃは、有害物質除去部８Ａにおける酸性成分除去部８Ａｅと部屋２とを連通させるものである。
【００６３】
送風機８Ｄは、吸気管８Ｂ（または排気管８Ｃ）に設けられて、部屋２の内部の空気の一部を吸気管８Ｂを介して有害物質除去部８Ａにおける塩基性成分除去部８Ａａに供給し、酸性成分除去部８Ａｅを通過した空気を排気管８Ｃを介して部屋２の内部に送るものである。
【００６４】
開閉弁８Ｅは、吸気管８Ｂ（または排気管８Ｃ）に設けられて、当該吸気管８Ｂ（または排気管８Ｃ）を開閉するものである。
【００６５】
有害物質濃度検出部８Ｆは、部屋２の内部の空気中の有害物質濃度を検出するものである。
【００６６】
制御手段９は、換気システム１を統括制御する。制御手段９は、放射性ガス検出手段４の検出結果に基づいて、放射性ガス除去手段３の送風機３Ｂおよび開閉弁３Ｄや、酸素ガス供給手段６の流量調整弁６Ｃを制御する。また、制御手段９は、部屋内圧力検出手段５の検出結果に基づいて、圧力調整手段（圧力調整手段２Ｅや流量調整弁６Ｃ）を制御する。また、制御手段９は、二酸化炭素濃度検出部７Ｆの検出結果に基づいて、二酸化炭素除去手段７の送風機７Ｄおよび開閉弁７Ｅを制御する。また、制御手段９は、有害物質濃度検出部８Ｆの検出結果に基づいて、有害物質除去手段８の送風機８Ｄおよび開閉弁８Ｅを制御する。
【００６７】
本実施形態の換気システム１の動作について説明する。原子力設備に事故が発生した場合、図５に示すように、制御手段９は、放射性ガス除去手段３を停止して酸素ガス供給手段６を運転し部屋２の内部を正圧とする（ステップＳ１）。すなわち、制御手段９は、放射性ガス除去手段３の送風機３Ｂを停止して開閉弁３Ｄを閉作動させ、酸素ガス供給手段６の流量調整弁６Ｃを開状態としつつ部屋内圧力検出手段５により検出する圧力が部屋２の外部の圧力よりも高くなるように（例えば１０ｍｍＡｑ以上）圧力調整手段（圧力調整手段２Ｅまたは酸素ガス供給手段６の流量調整弁６Ｃ）を作動させる。これにより、部屋２は、放射性ガスや放射性希ガスが遮断された状態で、内部に酸素が供給される。この結果、部屋２の内部の人が放射性ガスや放射性希ガスにより被曝する事態を防ぎ、かつ部屋２の内部の人の呼吸が妨げられる事態を防ぐことができる。
【００６８】
ステップＳ１の後、放射性ガス検出手段４により放射性ガスが検出され（ステップＳ２：Ｙｅｓ）、かつ放射性希ガスが検出された場合（ステップＳ３：Ｙｅｓ）、制御手段９は、放射性ガス除去手段３を停止して酸素ガス供給手段６を運転し部屋２の内部を正圧とする（ステップＳ４）。すなわち、制御手段９は、ステップＳ１の動作を続ける。
【００６９】
なお、ステップＳ３において、放射性希ガスが検出されない場合（ステップＳ３：Ｎｏ）、制御手段９は、酸素ガス供給手段６を停止して放射性ガス除去手段３を運転し部屋２の内部を正圧とする（ステップＳ５）。すなわち、制御手段９は、酸素ガス供給手段６の流量調整弁６Ｃを閉状態とし放射性ガス除去手段３の送風機３Ｂを運転して開閉弁３Ｄを開作動させつつ部屋内圧力検出手段５により検出する圧力が部屋２の外部の圧力よりも高くなるように（例えば１０ｍｍＡｑ以上）圧力調整手段（圧力調整手段２Ｅ）を作動させる。この結果、部屋２の内部の人が放射性ガスにより被曝する事態を防ぐことができる。また、ステップＳ５の後、制御手段９は、ステップＳ５の動作を維持しつつステップＳ２に戻り、放射性ガス検出手段４により放射性ガスおよび放射性希ガスを監視する。
【００７０】
ステップＳ４の後、二酸化炭素濃度が閾値を超えた場合（ステップＳ６：Ｙｅｓ）、制御手段９は、部屋２の内部の二酸化炭素を除去する（ステップＳ７）。すなわち、ステップＳ６において、制御手段９は、二酸化炭素濃度検出部７Ｆによる二酸化炭素濃度の検出結果を取得し、この二酸化炭素濃度が閾値を超えた場合（例えば、通常３００ｐｐｍ〜３９０ｐｐｍ程度のところ、人の健康を阻害する３５００ｐｐｍ以上となった場合）、ステップＳ７において、二酸化炭素除去手段７の送風機７Ｄを運転して開閉弁７Ｅを開作動させ、二酸化炭素除去部７Ａに部屋２の内部の空気の一部を通過させた後に部屋２の内部に戻し、部屋２の内部の二酸化炭素濃度を閾値（例えば３５００ｐｐｍ）以下となるようにする。この結果、部屋２の内部の人の健康を維持することができる。なお、ステップＳ６において、二酸化炭素濃度が閾値を超えていなければ（ステップＳ６：Ｎｏ）、制御手段９は、ステップＳ４の動作を維持しつつステップＳ２に戻り、放射性ガス検出手段４により放射性ガスおよび放射性希ガスを監視する。
【００７１】
ステップＳ７の後（またはステップＳ６と並行して）、有害物質濃度が閾値を超えた場合（ステップＳ８：Ｙｅｓ）、制御手段９は、部屋２の内部の有害物質を除去する（ステップＳ９）。すなわち、ステップＳ８において、制御手段９は、有害物質濃度検出部８Ｆによる有害物質濃度の検出結果を取得し、この有害物質濃度が閾値を超えた場合（例えば、一酸化炭素やアンモニアの濃度が人の健康を阻害する濃度となった場合）、ステップＳ９において、有害物質除去手段８の送風機８Ｄを運転して開閉弁８Ｅを開作動させ、有害物質除去部８Ａに部屋２の内部の空気の一部を通過させた後に部屋２の内部に戻し、部屋２の内部の有害物質濃度を閾値以下となるようにする。この結果、部屋２の内部の人の健康を維持することができる。なお、ステップＳ８において、有害物質濃度が閾値を超えていなければ（ステップＳ８：Ｎｏ）、制御手段９は、ステップＳ４の動作を維持しつつステップＳ２に戻り、放射性ガス検出手段４により放射性ガスおよび放射性希ガスを監視する。また、ステップＳ９の後、制御手段９は、ステップＳ４の動作を維持しつつステップＳ２に戻り、放射性ガス検出手段４により放射性ガスおよび放射性希ガスを監視する。また、ステップＳ６をステップＳ８と並行する場合、ステップＳ７の後、制御手段９は、ステップＳ４の動作を維持しつつステップＳ２に戻り、放射性ガス検出手段４により放射性ガスおよび放射性希ガスを監視する。
【００７２】
なお、ステップＳ２において、放射性ガス検出手段４により放射性ガスが検出されない場合（ステップＳ２：Ｎｏ）、制御手段９は、部屋２を外気に開放する（ステップＳ１０）。すなわち、制御手段９は、ステップＳ２において、放射性ガスが検出されず安全が確認された場合、ステップＳ１０において、放射性ガス除去手段３および酸素ガス供給手段６および圧力調整手段を停止する。また、ステップＳ１０の後は、再びステップＳ２に戻り、放射性ガス検出手段４により放射性ガスおよび放射性希ガスの監視を行う。
【００７３】
ところで、ステップＳ１は、なくてもよいが、原子力設備に事故が発生した場合に、部屋２の内部の人が放射性ガスや放射性希ガスにより被曝する事態を防ぐ効果を顕著に得るため、放射性ガス検出手段４により放射性ガスや放射性希ガスを検出する以前に、放射性ガス除去手段３を停止して酸素ガス供給手段６を運転し部屋２の内部を正圧とすることが好ましい。
【００７４】
このように、本実施形態の換気システム１は、壁、天井および床により囲まれた部屋２と、部屋２の外部に設けられて放射性ガスの通過を遮断するフィルタ部３Ａと、フィルタ部３Ａの内部に空気を通過させる送風機３Ｂと、フィルタ部３Ａの下流側と部屋２とを連通する送気管３Ｃと、送気管３Ｃに設けられて当該送気管３Ｃを開閉する開閉弁３Ｄと、部屋２の外部に設けられて放射性希ガスおよび放射性ガスを検出する放射性ガス検出手段４と、部屋２の内部の圧力を検出する部屋内圧力検出手段５と、部屋２の内部に酸素ガスを供給する酸素ガス供給手段６と、部屋２の内部の圧力が部屋２の外部の圧力よりも高くなるように調整する圧力調整手段（圧力調整手段２Ｅや流量調整弁６Ｃ）と、放射性ガス検出手段４により放射性希ガスが検出された場合、送風機３Ｂを停止して開閉弁３Ｄを閉作動させ、かつ酸素ガス供給手段６を作動させつつ部屋内圧力検出手段５により検出する圧力が部屋２の外部の圧力よりも高くなるように圧力調整手段（圧力調整手段２Ｅや流量調整弁６Ｃ）を作動させる一方、放射性ガス検出手段４により放射性希ガスを除き放射性ガスが検出された場合、送風機３Ｂを運転するとともに開閉弁３Ｄを開作動させ、かつ部屋内圧力検出手段５により検出する圧力が部屋２の外部の圧力よりも高くなるように圧力調整手段（圧力調整手段２Ｅ）を作動させる制御手段９と、を備える。
【００７５】
原子力設備では、当該原子力設備を制御・監視するための制御室や、制御室に従事する人の居住空間が必要である。そして、万が一の事故発生時において、制御室（制御室が何らかの損傷を受けた場合は原子力設備の制御・監視を行う代替制御室２１）や居室（居室が何らかの損傷を受けた場合は代替居室２２、または住民の避難のための非常用居室、あるいは原子力設備近くにあって緊急に避難することが困難な病院や介護施設）などのような部屋２の内部の人の被曝を防止し、呼吸を維持する必要がある。ただし、放射性ガス（ガス状の放射性よう素やミスト状のセシウムやストロンチウムなどの放射性物質を空気中に含むガス）は、フィルタにより除去できるが、炉心溶融などの初期に発生する放射性希ガス（キセノン、クリプトンなどを空気中に含むガス）はフィルタでは十分に除去しきれない。そこで、本実施形態の換気システム１によれば、放射性希ガスを検出した場合、部屋２を外気から遮断して酸素ガスを供給し部屋２の内部の圧力を正圧とすることで、放射性ガスを含み放射性希ガスが部屋２の内部へ送られる事態を防ぐことができ、部屋２の内部の人の呼吸を維持することができる。一方、本実施形態の換気システム１によれば、放射性希ガスの発生時期は炉心溶融などの初期に限定されるため、放射性希ガスを除き放射性ガスを検出した場合は、フィルタ部３Ａにより放射性ガスを除去し、部屋２の内部の圧力を正圧とすることで、放射性ガスが部屋２の内部へ送られる事態を防ぐことができ、部屋２の内部の人の呼吸を維持することができる。
【００７６】
また、本実施形態の換気システム１では、部屋２の内部の空気を一部取り込み、取り込んだ空気中の二酸化炭素を除去し、二酸化炭素を除去した空気を部屋２の内部に送る二酸化炭素除去手段７を備えることが好ましい。
【００７７】
部屋２を外気から遮断し、この期間が長引くことで、人の呼気により部屋２の内部の二酸化炭素濃度が増加する。そこで、本実施形態の換気システム１によれば、二酸化炭素除去手段７を備えることで、部屋２の内部の人の健康を維持することができる。
【００７８】
また、本実施形態の換気システム１では、部屋２の内部の空気を一部取り込み、取り込んだ空気中の有害物質を除去し、有害物質を除去した空気を部屋２の内部に送る有害物質除去手段８を備えることが好ましい。
【００７９】
部屋２を外気から遮断し、この期間が長引くことで、一酸化炭素（ＣＯ）や、アンモニア（ＮＨ３）などの人体に有害となる有害物質濃度が増加する。そこで、本実施形態の換気システム１によれば、有害物質除去手段８を備えることで、部屋２の内部の人の健康を維持することができる。
【００８０】
また、本実施形態の換気システム１では、部屋２は、原子力設備を制御・監視する制御室（代替制御室２１を含む）である。
【００８１】
この換気システム１によれば、原子力設備を制御・監視する制御室（代替制御室２１を含む）の内部に対して放射性ガスや放射性希ガスが送られる事態を防ぎ、かつ部屋２の内部に酸素を供給することで、原子力設備の制御・監視を継続して行うことができる。
【００８２】
また、本実施形態の換気システム１では、部屋２は、居室である。
【００８３】
この換気システム１によれば、居室（代替居室２２や非常用居室を含む）の内部に対して放射性ガスや放射性希ガスが送られる事態を防ぎ、かつ部屋２の内部に酸素を供給することで、原子力設備に従事する人や原子力設備近くの住民の安全を確保することができる。
【００８４】
また、本実施形態の換気システム１では、部屋２および部屋２に付属する構成は、一体または個別で移動可能に構成されることが好ましい。
【００８５】
部屋２が移動可能とは、部屋２が代替制御室２１や代替居室２２として構成され、図には明示しないが、移動手段としてのトレーラにおける荷台に搭載されるコンテナとして構成されていたり、部屋２が移動手段としてのヘリコプターやクレーンなどで吊り下げられる吊具を有していたりしているものをいう。また、部屋２に付属する構成とは、上述した放射性ガス除去手段３、放射性ガス検出手段４、部屋内圧力検出手段５、酸素ガス供給手段６、二酸化炭素除去手段７、有害物質除去手段８、または制御手段９を含む。
【００８６】
この換気システム１によれば、部屋２および部屋２に付属する構成は、一体または個別で移動可能に構成されることで、原子力設備の事故時において、部屋２を適した箇所に移動して設置することで、原子力設備の制御・監視を継続して行うことができ、または原子力設備に従事する人や原子力設備近くの住民の安全を確保することができる。
【００８７】
また、本実施形態の換気システム１では、フィルタ部３Ａは、送気管３Ｃに対して着脱可能に設けられていることが好ましい。
【００８８】
具体的に、フィルタ部３Ａの交換動作は、図６に示すように、ステップＳ５の後、フィルタ交換時期である場合（ステップＳ１１：Ｙｅｓ）、制御手段９は、フィルタ交換時期を部屋２の内部のランプや制御盤（図示せず）に表示し、フィルタ部３Ａの交換を促す（ステップＳ１２）。なお、フィルタ交換時期は、放射性ガス除去手段３の運転時間（送風機３Ｂの運転時間）と放射性ガス検出手段４により検出する放射線量に応じて予め設定する。また、フィルタ部３Ａを交換した場合、制御手段９のフィルタ交換時期をリセットする。また、ステップＳ１２の後、制御手段９は、ステップＳ５の動作を維持しつつステップＳ２に戻り、放射性ガス検出手段４により放射性ガスおよび放射性希ガスを監視する。
【００８９】
この換気システム１によれば、フィルタ部３Ａを送気管３Ｃに対して着脱可能に設けることで、フィルタ部３Ａを交換することができる。この結果、原子力設備の制御・監視を継続して行うことができ、または原子力設備に従事する人や原子力設備近くの住民の安全を確保することができる。
【００９０】
［実施形態２］
図７は、本実施形態に係る換気システムの概略図である。なお、本実施形態の換気システム１は、上述した実施形態１の換気システム１に対して放射性ガス除去手段３の構成が異なり、その他の構成は同様である。従って、以下に説明する実施形態２において、上述した実施形態１と同等の構成には、同一の符号を付して説明を省略する。
【００９１】
本実施形態の換気システム１は、図７に示すように、放射性ガス除去手段３において、フィルタ部３Ａが複数（本実施形態では２つ）設けられている。そして、各フィルタ部３Ａは、送気管３Ｃから複数に分岐された各分岐管３Ｃａ，３Ｃｂにそれぞれ接続されている。各分岐管３Ｃａ，３Ｃｂは、開閉弁３Ｄがそれぞれ設けられている。そして、制御手段９は、フィルタ交換時期に応じて各開閉弁３Ｄを選択的に開閉する。
【００９２】
具体的に、フィルタ部３Ａの交換動作は、図６に示すように、ステップＳ５の後、フィルタ交換時期である場合（ステップＳ１１：Ｙｅｓ）、制御手段９は、フィルタ交換を行う（ステップＳ１２）。すなわち、制御手段９は、いままで使用していたフィルタ部３Ａ側の開閉弁３Ｄを閉作動させ、未使用のフィルタ部３Ａ側の開閉弁３Ｄを開作動させる。なお、フィルタ交換時期は、放射性ガス除去手段３の運転時間（送風機３Ｂの運転時間）と放射性ガス検出手段４により検出する放射線量に応じて予め設定する。また、各開閉弁３Ｄを開閉してフィルタ部３Ａを交換した場合、制御手段９は、フィルタ交換時期をリセットする。また、ステップＳ１２の後、制御手段９は、ステップＳ５の動作を維持しつつステップＳ２に戻り、放射性ガス検出手段４により放射性ガスおよび放射性希ガスを監視する。
【００９３】
このように、本実施形態の換気システム１では、フィルタ部３Ａは、複数設けられて、送気管３Ｃから複数に分岐された各分岐管３Ｃａ，３Ｃｂにそれぞれ接続されており、かつ各分岐管３Ｃａ，３Ｃｂに開閉弁３Ｄがそれぞれ設けられ、制御手段９は、フィルタ交換時期に応じて各開閉弁３Ｄを選択的に開閉する。
【００９４】
この換気システム１によれば、フィルタ部３Ａを自動的に交換することができる。この結果、原子力設備の制御・監視を継続して行うことができ、または原子力設備に従事する人や原子力設備近くの住民の安全を確保することができる。
【００９５】
［実施形態３］
図８は、本実施形態に係る換気システムの概略図であり、図９は、本実施形態に係る換気システムの動作を示すフローチャートである。なお、本実施形態の換気システム１は、上述した実施形態１の換気システム１に対して放射性ガス除去手段３の構成が異なり、その他の構成は同様である。従って、以下に説明する実施形態３において、上述した実施形態１と同等の構成には、同一の符号を付して説明を省略する。
【００９６】
本実施形態の換気システム１は、図８に示すように、放射性ガス除去手段３において、送気管３Ｃの途中に、外気に開放する排気管３Ｅが分岐して設けられている。また、送気管３Ｃと排気管３Ｅとの分岐部に、三方弁３Ｆが設けられている。三方弁３Ｆは、送気管３Ｃを介してフィルタ部３Ａの下流側と部屋２とを開通する一方、排気管３Ｅを介してフィルタ部３Ａの下流側を外気に開放し、送気管３Ｃを部屋２に対して閉じる。また、放射性ガス検出手段４は、フィルタ部３Ａの上流側、およびフィルタ部３Ａの下流側であって三方弁３Ｆよりも上流側にそれぞれ設けられている。
【００９７】
本実施形態の換気システム１の動作について説明する。原子力設備に事故が発生した場合、まず放射性ガスが発生し、その後に炉心溶融などにより放射性希ガスが発生する。このため、図９に示すように、各フィルタ部３Ａの上流側の放射性ガス検出手段４により放射性希ガスを除き放射性ガスが検出された場合（ステップＳ２１：Ｙｅｓ）、制御手段９は、酸素ガス供給手段６を停止状態として放射性ガス除去手段３を運転し部屋２の内部を正圧とする（ステップＳ２２）。すなわち、制御手段９は、酸素ガス供給手段６の流量調整弁６Ｃを閉状態とし放射性ガス除去手段３の送風機３Ｂを運転して三方弁３Ｆにより送気管３Ｃを介してフィルタ部３Ａの下流側と部屋２とを開通させつつ部屋内圧力検出手段５により検出する圧力が部屋２の外部の圧力よりも高くなるように（例えば１０ｍｍＡｑ以上）圧力調整手段（圧力調整手段２Ｅ）を作動させる。この結果、部屋２の内部の人が放射性ガスにより被曝する事態を防ぐことができる。
【００９８】
ステップＳ２２の後（または、ステップＳ２１と並行し）、フィルタ部３Ａの下流側の放射性ガス検出手段４により放射性希ガスが検出された場合（ステップＳ２３：Ｙｅｓ）、制御手段９は、三方弁３Ｆを切り替えて酸素ガス供給手段６を運転し部屋２の内部を正圧とする（ステップＳ２４）。すなわち、制御手段９は、送風機３Ｂを運転するとともに三方弁３Ｆにより排気管３Ｅを開通させて送気管３Ｃを部屋２に対して閉じ、かつ酸素ガス供給手段６の流量調整弁６Ｃを開状態としつつ部屋内圧力検出手段５により検出する圧力が部屋２の外部の圧力よりも高くなるように（例えば１０ｍｍＡｑ以上）圧力調整手段（圧力調整手段２Ｅまたは酸素ガス供給手段６の流量調整弁６Ｃ）を作動させる。これにより、部屋２は、放射性ガスや放射性希ガスが遮断された状態で、内部に酸素が供給される。この結果、部屋２の内部の人が放射性ガスや放射性希ガスにより被曝する事態を防ぎ、かつ部屋２の内部の人の呼吸が妨げられる事態を防ぐことができる。
【００９９】
なお、ステップＳ２３においては、フィルタ部３Ａにより放射性ガスが除去されているが、フィルタ部３Ａの下流側の放射性ガス検出手段４により放射線が検出されることで、フィルタ部３Ａにより十分に除去できない放射性希ガスが検出されることになる。すなわち、フィルタ部３Ａの上流側の放射性ガス検出手段４により放射線が検出されているが、フィルタ部３Ａの下流側の放射性ガス検出手段４により放射線が検出されなければ、放射性希ガスを除き放射線ガスのみが発生していることになる。また、フィルタ部３Ａの上流側の放射性ガス検出手段４により放射線が検出されなければ、放射性ガスおよび放射性希ガスが発生していないことになる。
【０１００】
また、ステップＳ２３において、放射性希ガスの発生を検出しなければ（ステップＳ２３：Ｎｏ）、制御手段９は、ステップＳ２２の動作を維持しつつステップＳ２１に戻り、放射性ガス検出手段４により放射性ガスおよび放射性希ガスを監視する。
【０１０１】
ステップＳ２４の後、二酸化炭素濃度が閾値を超えた場合（ステップＳ２５：Ｙｅｓ）、制御手段９は、部屋２の内部の二酸化炭素を除去する（ステップＳ２６）。すなわち、ステップＳ２５において、制御手段９は、二酸化炭素濃度検出部７Ｆによる二酸化炭素濃度の検出結果を取得し、この二酸化炭素濃度が閾値を超えた場合（例えば、通常３００ｐｐｍ〜３９０ｐｐｍ程度のところ、人の健康を阻害する３５００ｐｐｍ以上となった場合）、ステップＳ２６において、二酸化炭素除去手段７の送風機７Ｄを運転して開閉弁７Ｅを開作動させ、二酸化炭素除去部７Ａに部屋２の内部の空気の一部を通過させた後に部屋２の内部に戻し、部屋２の内部の二酸化炭素濃度を閾値（例えば３５００ｐｐｍ）以下となるようにする。この結果、部屋２の内部の人の健康を維持することができる。なお、ステップＳ２５において、二酸化炭素濃度が閾値を超えていなければ（ステップＳ２５：Ｎｏ）、制御手段９は、ステップＳ２４の動作を維持しつつステップＳ２１に戻り、放射性ガス検出手段４により放射性ガスおよび放射性希ガスを監視する。
【０１０２】
ステップＳ２６の後（またはステップＳ２５と並行して）、有害物質濃度が閾値を超えた場合（ステップＳ２７：Ｙｅｓ）、制御手段９は、部屋２の内部の有害物質を除去する（ステップＳ２８）。すなわち、ステップＳ２７において、制御手段９は、有害物質濃度検出部８Ｆによる有害物質濃度の検出結果を取得し、この有害物質濃度が閾値を超えた場合（例えば、一酸化炭素やアンモニアの濃度が人の健康を阻害する濃度となった場合）、ステップＳ２８において、有害物質除去手段８の送風機８Ｄを運転して開閉弁８Ｅを開作動させ、有害物質除去部８Ａに部屋２の内部の空気の一部を通過させた後に部屋２の内部に戻し、部屋２の内部の有害物質濃度を閾値以下となるようにする。この結果、部屋２の内部の人の健康を維持することができる。なお、ステップＳ２７において、有害物質濃度が閾値を超えていなければ（ステップＳ２７：Ｎｏ）、制御手段９は、ステップＳ２４の動作を維持しつつステップＳ２１に戻り、放射性ガス検出手段４により放射性ガスおよび放射性希ガスを監視する。また、ステップＳ２８の後、制御手段９は、ステップＳ２４の動作を維持しつつステップＳ２１に戻り、放射性ガス検出手段４により放射性ガスおよび放射性希ガスを監視する。また、ステップＳ２５をステップＳ２７と並行する場合、ステップＳ２６の後、制御手段９は、ステップＳ２４の動作を維持しつつステップＳ２１に戻り、放射性ガス検出手段４により放射性ガスおよび放射性希ガスを監視する。
【０１０３】
なお、ステップＳ２１において、放射性ガス検出手段４により放射性ガスが検出されない場合（ステップＳ２１：Ｎｏ）、制御手段９は、部屋２を外気に開放する（ステップＳ２９）。すなわち、制御手段９は、ステップＳ２１において、放射性ガスが検出されず安全が確認された場合、ステップＳ２９において、放射性ガス除去手段３および酸素ガス供給手段６および圧力調整手段を停止する。また、ステップＳ２９の後は、再びステップＳ２１に戻り、放射性ガス検出手段４により放射性ガスおよび放射性希ガスの監視を行う。
【０１０４】
このように、本実施形態の換気システム１は、壁、天井および床により囲まれた部屋２と、部屋２の外部に設けられて放射性ガスの通過を遮断するフィルタ部３Ａと、フィルタ部３Ａの内部に空気を通過させる送風機３Ｂと、フィルタ部３Ａの下流側と部屋２とを連通する送気管３Ｃと、送気管３Ｃから分岐して外気に開放される排気管３Ｅと、送気管３Ｃと排気管３Ｅとの分岐部に設けられた三方弁３Ｆと、フィルタ部３Ａの上流側、およびフィルタ部３Ａの下流側である三方弁３Ｆよりも上流側にそれぞれ設けられて放射性希ガスおよび放射性ガスを検出する放射性ガス検出手段４と、部屋２の内部の圧力を検出する部屋内圧力検出手段５と、部屋２の内部に酸素ガスを供給する酸素ガス供給手段６と、部屋２の内部の圧力が部屋２の外部の圧力よりも高くなるように調整する圧力調整手段（圧力調整手段２Ｅや流量調整弁６Ｃ）と、フィルタ部３Ａの上流側の放射性ガス検出手段４により放射性ガスが検出された場合、送風機３Ｂを運転するとともに三方弁３Ｆにより送気管３Ｃを部屋２に開通させ、かつ部屋内圧力検出手段５により検出する圧力が部屋２の外部の圧力よりも高くなるように圧力調整手段（圧力調整手段２Ｅ）を作動させる一方、フィルタ部３Ａの下流側の放射性ガス検出手段４により放射性希ガスが検出された場合、送風機３Ｂを運転するとともに三方弁３Ｆにより排気管３Ｅを開通させて送気管３Ｃを部屋２に対して閉じ、かつ酸素ガス供給手段６を作動させつつ部屋内圧力検出手段５により検出する圧力が部屋２の外部の圧力よりも高くなるように圧力調整手段（圧力調整手段２Ｅや流量調整弁６Ｃ）を作動させる制御手段９と、を備える。
【０１０５】
原子力設備では、当該原子力設備を制御・監視するための制御室や、制御室に従事する人の居住空間が必要である。そして、万が一の事故発生時において、制御室（制御室が何らかの損傷を受けた場合は原子力設備の制御・監視を行う代替制御室２１）や居室（居室が何らかの損傷を受けた場合は代替居室２２、または住民の避難のための非常用居室）などのような部屋２の内部の人の被曝を防止し、呼吸を維持する必要がある。ただし、放射性ガス（ガス状の放射性よう素やミスト状のセシウムやストロンチウムなどの放射性物質を空気中に含むガス）は、フィルタにより除去できるが、炉心溶融などの初期に発生する放射性希ガス（キセノン、クリプトンなどを空気中に含むガス）はフィルタでは十分に除去しきれない。そこで、本実施形態の換気システム１によれば、フィルタ部３Ａの上流側の放射性ガス検出手段４により放射性ガスを検出した場合、フィルタ部３Ａにより放射性ガスを除去し、部屋２の内部の圧力を正圧とすることで、放射性ガスが部屋２の内部へ送られる事態を防ぐことができ、部屋２の内部の人の呼吸を維持することができる。一方、本実施形態の換気システム１によれば、フィルタ部３Ａの下流側の放射性ガス検出手段４により放射性希ガスを検出した場合、部屋２を外気から遮断して酸素ガスを供給し部屋２の内部の圧力を正圧とすることで、放射性ガスを含み放射性希ガスが部屋２の内部へ送られる事態を防ぐことができ、部屋２の内部の人の呼吸を維持することができる。しかも、本実施形態の換気システム１によれば、放射性希ガスを検出した場合、送風機３Ｂを運転するとともに三方弁３Ｆにより排気管３Ｅを開通させ、フィルタ部３Ａに外気を通すことで、フィルタ部３Ａが放射性ガスを除去する効果を利用してフィルタ部３Ａの上流側と下流側との放射性ガス検出手段４により放射性ガスの有無および放射性希ガスの有無を検出することができる。
【０１０６】
また、本実施形態の換気システム１では、部屋２の内部の空気を一部取り込み、取り込んだ空気中の二酸化炭素を除去し、二酸化炭素を除去した空気を部屋２の内部に送る二酸化炭素除去手段７を備えることが好ましい。
【０１０７】
部屋２を外気から遮断し、この期間が長引くことで、人の呼気により部屋２の内部の二酸化炭素濃度が増加する。そこで、本実施形態の換気システム１によれば、二酸化炭素除去手段７を備えることで、部屋２の内部の人の健康を維持することができる。
【０１０８】
また、本実施形態の換気システム１では、部屋２の内部の空気を一部取り込み、取り込んだ空気中の有害物質を除去し、有害物質を除去した空気を部屋２の内部に送る有害物質除去手段８を備えることが好ましい。
【０１０９】
部屋２を外気から遮断し、この期間が長引くことで、一酸化炭素（ＣＯ）や、アンモニア（ＮＨ３）などの人体に有害となる有害物質濃度が増加する。そこで、本実施形態の換気システム１によれば、有害物質除去手段８を備えることで、部屋２の内部の人の健康を維持することができる。
【０１１０】
また、本実施形態の換気システム１では、部屋２は、原子力設備を制御・監視する制御室（代替制御室２１を含む）である。
【０１１１】
この換気システム１によれば、原子力設備を制御・監視する制御室（代替制御室２１を含む）の内部に対して放射性ガスや放射性希ガスが送られる事態を防ぎ、かつ部屋２の内部に酸素を供給することで、原子力設備の制御・監視を継続して行うことができる。
【０１１２】
また、本実施形態の換気システム１では、部屋２は、居室である。
【０１１３】
この換気システム１によれば、居室（代替居室２２や非常用居室を含む）の内部に対して放射性ガスや放射性希ガスが送られる事態を防ぎ、かつ部屋２の内部に酸素を供給することで、原子力設備に従事する人や原子力設備近くの住民の安全を確保することができる。
【０１１４】
また、本実施形態の換気システム１では、部屋２および部屋２に付属する構成は、一体または個別で移動可能に構成されることが好ましい。
【０１１５】
部屋２が移動可能とは、部屋２が代替制御室２１や代替居室２２として構成され、図には明示しないが、移動手段としてのトレーラにおける荷台に搭載されるコンテナとして構成されていたり、部屋２が移動手段としてのヘリコプターやクレーンなどで吊り下げられる吊具を有していたりしているものをいう。また、部屋２に付属する構成とは、上述した放射性ガス除去手段３、放射性ガス検出手段４、部屋内圧力検出手段５、酸素ガス供給手段６、二酸化炭素除去手段７、有害物質除去手段８、または制御手段９を含む。
【０１１６】
この換気システム１によれば、部屋２および部屋２に付属する構成は、一体または個別で移動可能に構成されることで、原子力設備の事故時において、部屋２を適した箇所に移動して設置することで、原子力設備の制御・監視を継続して行うことができ、または原子力設備に従事する人や原子力設備近くの住民の安全を確保することができる。
【０１１７】
また、本実施形態の換気システム１では、フィルタ部３Ａは、送気管３Ｃに対して着脱可能に設けられていることが好ましい。
【０１１８】
具体的に、フィルタ部３Ａの交換動作は、ステップＳ２２以降において、上述した実施形態１と同様に、図６のステップＳ１１およびステップＳ１２の動作を行う。すなわち、フィルタ交換時期である場合（ステップＳ１１：Ｙｅｓ）、制御手段９は、フィルタ交換時期を部屋２の内部のランプや制御盤（図示せず）に表示し、フィルタ部３Ａの交換を促す（ステップＳ１２）。なお、フィルタ交換時期は、放射性ガス除去手段３の運転時間（送風機３Ｂの運転時間）と放射性ガス検出手段４により検出する放射線量に応じて予め設定する。また、フィルタ部３Ａを交換した場合、制御手段９のフィルタ交換時期をリセットする。また、ステップＳ１２の後、制御手段９は、ステップＳ５の動作を維持しつつステップＳ２に戻り、放射性ガス検出手段４により放射性ガスおよび放射性希ガスを監視する。
【０１１９】
この換気システム１によれば、フィルタ部３Ａを送気管３Ｃに対して着脱可能に設けることで、フィルタ部３Ａを交換することができる。この結果、原子力設備の制御・監視を継続して行うことができ、または原子力設備に従事する人や原子力設備近くの住民の安全を確保することができる。
【０１２０】
また、本実施形態の換気システム１では、図７を参照するように、放射性ガス除去手段３において、フィルタ部３Ａが複数（本実施形態では２つ）設けられていてもよい。そして、各フィルタ部３Ａは、送気管３Ｃから複数に分岐された各分岐管３Ｃａ，３Ｃｂにそれぞれ接続される。各分岐管３Ｃａ，３Ｃｂは、開閉弁３Ｄがそれぞれ設けられる。そして、制御手段９は、フィルタ交換時期に応じて各開閉弁３Ｄを選択的に開閉する。また、本実施形態の場合、図８に示すフィルタ部３Ａの下流側の放射性ガス検出手段４は、図７に示す各分岐管３Ｃａ，３Ｃｂよりも下流側の送気管３Ｃであって、図８に示すように三方弁３Ｆの上流側に設けられる。
【０１２１】
具体的に、フィルタ部３Ａの交換動作は、ステップＳ２２以降において、上述した実施形態２と同様に、図６のステップＳ１１およびステップＳ１２の動作を行う。すなわち、フィルタ交換時期である場合（ステップＳ１１：Ｙｅｓ）、制御手段９は、フィルタ交換を行う（ステップＳ１２）。すなわち、制御手段９は、いままで使用していたフィルタ部３Ａ側の開閉弁３Ｄを閉作動させ、未使用のフィルタ部３Ａ側の開閉弁３Ｄを開作動させる。なお、フィルタ交換時期は、放射性ガス除去手段３の運転時間（送風機３Ｂの運転時間）と放射性ガス検出手段４により検出する放射線量に応じて予め設定する。また、各開閉弁３Ｄを開閉してフィルタ部３Ａを交換した場合、制御手段９は、フィルタ交換時期をリセットする。また、ステップＳ１２の後、制御手段９は、ステップＳ５の動作を維持しつつステップＳ２に戻り、放射性ガス検出手段４により放射性ガスおよび放射性希ガスを監視する。
【０１２２】
このように、本実施形態の換気システム１では、フィルタ部３Ａは、複数設けられて、送気管３Ｃから複数に分岐された各分岐管３Ｃａ，３Ｃｂにそれぞれ接続されており、かつ各分岐管３Ｃａ，３Ｃｂに開閉弁３Ｄがそれぞれ設けられ、制御手段９は、フィルタ交換時期に応じて各開閉弁３Ｄを選択的に開閉する。
【０１２３】
この換気システム１によれば、フィルタ部３Ａを自動的に交換することができる。この結果、原子力設備の制御・監視を継続して行うことができ、または原子力設備に従事する人や原子力設備近くの住民の安全を確保することができる。
【０１２４】
［実施形態４］
図１０は、本実施形態に係る換気システムの概略図であり、図１１は、本実施形態に係る換気システムの有毒ガスフィルタ部を示す概略図であり、図１２および図１３は、本実施形態に係る換気システムの動作を示すフローチャートである。なお、本実施形態の換気システム１は、上述した実施形態１の換気システム１に対して有毒ガス除去手段１０をさらに備えており、その他の構成は同様である。従って、以下に説明する実施形態４において、上述した実施形態１と同等の構成には、同一の符号を付して説明を省略する。
【０１２５】
有毒ガス除去手段１０は、火災に伴い発生し得る一酸化炭素、塩化水素、硫黄化合物やシアン化水素などを含む有毒ガスの通過を遮断するものである。有毒ガス除去手段１０は、有毒ガスフィルタ部１０Ａと、有毒ガスフィルタ送気管１０Ｃと、有毒ガスフィルタ開閉弁１０Ｄと、有毒ガスフィルタバイパス管１０Ｇと、有毒ガスフィルタバイパス開閉弁１０Ｈと、を有する。
【０１２６】
有毒ガスフィルタ部１０Ａは、図１１に示すように、周囲が外壁で囲まれた筒状に形成されて一端側および他端側に開口部がそれぞれ形成されたケーシング１０Ａａを有している。そして、有毒ガスフィルタ部１０Ａは、ケーシング１０Ａａ内に、一端側から粗フィルタ１０Ａｂ、上流側高性能フィルタ１０Ａｃ、アルカリ添着炭１０Ａｄ、一酸化炭素酸化器１０Ａｅおよび二酸化炭素吸着器１０Ａｆが設けられている。
【０１２７】
粗フィルタ１０Ａｂは、例えば、対象粒子径が５０μｍ以上の空気濾過フィルタや、対象粒子径が２５μｍ以上の中高性能フィルタが適用される。
【０１２８】
上流側高性能フィルタ１０Ａｃは、例えば、対象粒子径が０．１５μｍで９９．９７％の除去効率のＨＥＰＡフィルタ（High  Efficiency  Particulate  Air  Filter）が適用される。
【０１２９】
アルカリ添着炭１０Ａｄは、塩化水素、硫黄化合物やシアン化水素などの酸性ガスを除去するアルカリ成分を活性炭に添着したものである。アルカリ添着炭１０Ａｄは、粒状の活性炭を気体が通過する容器に収納してある。
【０１３０】
一酸化炭素酸化器１０Ａｅは、一酸化炭素を酸化して二酸化炭素にするものである。一酸化炭素酸化器１０Ａｅは、例えば、酸化触媒中に気体を通過させるようにしたものである。
【０１３１】
二酸化炭素吸着器１０Ａｆは、二酸化炭素を吸着するものである。二酸化炭素吸着器１０Ａｆは、例えば、上述した二酸化炭素除去部が適用される。
【０１３２】
有毒ガスフィルタ送気管１０Ｃは、有毒ガスフィルタ部１０Ａの下流側と、放射性ガス除去手段３におけるフィルタ部３Ａの上流側とを連通するものである。
【０１３３】
有毒ガスフィルタ開閉弁１０Ｄは、有毒ガスフィルタ送気管１０Ｃに設けられて当該有毒ガスフィルタ送気管１０Ｃを開閉するものである。
【０１３４】
有毒ガスフィルタバイパス管１０Ｇは、有毒ガスフィルタ送気管１０Ｃにおける有毒ガスフィルタ開閉弁１０Ｄの下流側に接続されて外気に通じるものである。本実施形態では、有毒ガスフィルタバイパス管１０Ｇは、有毒ガスフィルタ送気管１０Ｃが有毒ガスフィルタ部１０Ａの上流側にも設けられて外気に通じており、当該有毒ガスフィルタ送気管１０Ｃに一端が接続され、他端が有毒ガスフィルタ送気管１０Ｃにおける有毒ガスフィルタ開閉弁１０Ｄの下流側に接続されている。
【０１３５】
有毒ガスフィルタバイパス開閉弁１０Ｈは、有毒ガスフィルタバイパス管１０Ｇに設けられて当該有毒ガスフィルタバイパス管１０Ｇを開閉するものである。
【０１３６】
ところで、上記有毒ガス除去手段１０が設けられている場合、この有毒ガス除去手段１０が接続された放射性ガス除去手段３は、バイパス管３Ｇおよびバイパス開閉弁３Ｈが設けられている。また、有毒ガス除去手段１０が接続された放射性ガス除去手段３は、送風機３Ｂが、送気管３Ｃにおいて開閉弁３Ｄの下流側に設けられている。
【０１３７】
バイパス管３Ｇは、有毒ガスフィルタ送気管１０Ｃにおける有毒ガスフィルタ開閉弁１０Ｄの下流側であって有毒ガスフィルタバイパス管１０Ｇの他端の下流側に一端が接続され、送気管３Ｃにおける開閉弁３Ｄの下流側であって送風機３Ｂの上流側に他端が接続されている。また、バイパス開閉弁３Ｈは、バイパス管３Ｇに設けられてバイパス管３Ｇを開閉するものである。
【０１３８】
また、本実施形態の換気システム１は、火災検出手段１１を備えている。火災検出手段１１は、部屋２の近くで発生する火災の発生を検出するもので、例えば、通常の温度よりも高い温度を検知したり、煙を検知したり、火炎から発せられる紫外線や赤外線を検知したり、これらを少なくとも２つ複合して検知したりすることで火災の発生を検出する。
【０１３９】
また、本実施形態の換気システム１において、制御手段９は、制御手段９は、放射性ガス検出手段４の検出結果に基づいて、放射性ガス除去手段３の送風機３Ｂ、開閉弁３Ｄおよびバイパス開閉弁３Ｈ、有毒ガス除去手段１０の有毒ガスフィルタ開閉弁１０Ｄおよび有毒ガスフィルタバイパス開閉弁１０Ｈや、酸素ガス供給手段６の流量調整弁６Ｃを制御する。また、制御手段９は、火災検出手段１１の検出結果に基づいて、放射性ガス除去手段３の送風機３Ｂ、開閉弁３Ｄおよびバイパス開閉弁３Ｈ、有毒ガス除去手段１０の有毒ガスフィルタ開閉弁１０Ｄおよび有毒ガスフィルタバイパス開閉弁１０Ｈや、圧力調整手段（圧力調整手段２Ｅや流量調整弁６Ｃ）を制御する。また、制御手段９は、部屋内圧力検出手段５の検出結果に基づいて、圧力調整手段（圧力調整手段２Ｅや流量調整弁６Ｃ）を制御する。また、制御手段９は、二酸化炭素濃度検出部７Ｆの検出結果に基づいて、二酸化炭素除去手段７の送風機７Ｄおよび開閉弁７Ｅを制御する。また、制御手段９は、有害物質濃度検出部８Ｆの検出結果に基づいて、有害物質除去手段８の送風機８Ｄおよび開閉弁８Ｅを制御する。
【０１４０】
本実施形態の換気システム１の動作について説明する。原子力設備に事故が発生した場合、図１２に示すように、制御手段９は、放射性ガス除去手段３および有毒ガス除去手段１０を停止して酸素ガス供給手段６を運転し部屋２の内部を正圧とする（ステップＳ３０）。すなわち、制御手段９は、放射性ガス除去手段３の送風機３Ｂを停止して開閉弁３Ｄおよびバイパス開閉弁３Ｈを閉作動させ、かつ有毒ガス除去手段１０の有毒ガスフィルタ開閉弁１０Ｄおよび有毒ガスフィルタバイパス開閉弁１０Ｈを閉作動させ、酸素ガス供給手段６の流量調整弁６Ｃを開状態としつつ部屋内圧力検出手段５により検出する圧力が部屋２の外部の圧力よりも高くなるように（例えば１０ｍｍＡｑ以上）圧力調整手段（圧力調整手段２Ｅまたは酸素ガス供給手段６の流量調整弁６Ｃ）を作動させる。これにより、部屋２は、有毒ガスや放射性ガスや放射性希ガスが遮断された状態で、内部に酸素が供給される。この結果、部屋２の内部の人が有毒ガスや放射性ガスや放射性希ガスに曝される事態を防ぎ、かつ部屋２の内部の人の呼吸が妨げられる事態を防ぐことができる。
【０１４１】
ステップＳ３０の後、火災検出手段１１により火災の発生が検出され（ステップＳ３１：Ｙｅｓ）、放射性ガス検出手段４により放射性ガスが検出され（ステップＳ３２：Ｙｅｓ）、かつ放射性希ガスが検出された場合（ステップＳ３３：Ｙｅｓ）、制御手段９は、放射性ガス除去手段３および有毒ガス除去手段１０を停止して酸素ガス供給手段６を運転し部屋２の内部を正圧とする（ステップＳ３４）。すなわち、制御手段９は、ステップＳ３０の動作を続ける。
【０１４２】
なお、ステップＳ３２において、放射性ガス検出手段４により放射性ガスが検出されない場合（ステップＳ３２：Ｎｏ）、制御手段９は、酸素ガス供給手段６および放射性ガス除去手段３を停止して有毒ガス除去手段１０を運転し部屋２の内部を正圧とする（ステップＳ３５）。すなわち、制御手段９は、酸素ガス供給手段６の流量調整弁６Ｃを閉状態とし送風機３Ｂを運転して開閉弁３Ｄおよびバイパス開閉弁を閉作動させ、かつ有毒ガス除去手段１０の有毒ガスフィルタ開閉弁１０Ｄを開作動させる一方有毒ガスフィルタバイパス開閉弁１０Ｈを閉作動させつつ部屋内圧力検出手段５により検出する圧力が部屋２の外部の圧力よりも高くなるように（例えば１０ｍｍＡｑ以上）圧力調整手段（圧力調整手段２Ｅ）を作動させる。この結果、部屋２の内部の人が有毒ガスに曝される事態を防ぐことができる。また、ステップＳ３５の後、制御手段９は、ステップＳ３５の動作を維持しつつステップＳ３１に戻り、火災検出手段１１により火災の発生を監視するとともに放射性ガス検出手段４により放射性ガスおよび放射性希ガスを監視する。
【０１４３】
また、ステップＳ３３において、放射性希ガスが検出されない場合（ステップＳ３３：Ｎｏ）、制御手段９は、酸素ガス供給手段６を停止して放射性ガス除去手段３および有毒ガス除去手段１０を運転し部屋２の内部を正圧とする（ステップＳ３６）。すなわち、制御手段９は、酸素ガス供給手段６の流量調整弁６Ｃを閉状態とし放射性ガス除去手段３の送風機３Ｂを運転して開閉弁３Ｄを開作動させる一方バイパス開閉弁３Ｈを閉作動させ、かつ有毒ガス除去手段１０の有毒ガスフィルタ開閉弁１０Ｄを開作動させる一方有毒ガスフィルタバイパス開閉弁１０Ｈを閉作動させつつ部屋内圧力検出手段５により検出する圧力が部屋２の外部の圧力よりも高くなるように（例えば１０ｍｍＡｑ以上）圧力調整手段（圧力調整手段２Ｅ）を作動させる。この結果、部屋２の内部の人が有毒ガスや放射性ガスに曝される事態を防ぐことができる。また、ステップＳ３６の後、制御手段９は、ステップＳ３６の動作を維持しつつステップＳ３１に戻り、火災検出手段１１により火災の発生を監視するとともに放射性ガス検出手段４により放射性ガスおよび放射性希ガスを監視する。
【０１４４】
ステップＳ３４の後、二酸化炭素濃度が閾値を超えた場合（ステップＳ３７：Ｙｅｓ）、制御手段９は、部屋２の内部の二酸化炭素を除去する（ステップＳ３８）。すなわち、ステップＳ３７において、制御手段９は、二酸化炭素濃度検出部７Ｆによる二酸化炭素濃度の検出結果を取得し、この二酸化炭素濃度が閾値を超えた場合（例えば、通常３００ｐｐｍ〜３９０ｐｐｍ程度のところ、人の健康を阻害する二酸化炭素濃度で制御する場合には一例として３５００ｐｐｍ以上となった場合）、ステップＳ３８において、二酸化炭素除去手段７の送風機７Ｄを運転して開閉弁７Ｅを開作動させ、二酸化炭素除去部７Ａに部屋２の内部の空気の一部を通過させた後に部屋２の内部に戻し、部屋２の内部の二酸化炭素濃度を閾値（例えば３５００ｐｐｍ）以下となるようにする。この結果、部屋２の内部の人の健康を維持することができる。なお、ステップＳ３７において、二酸化炭素濃度が閾値を超えていなければ（ステップＳ３７：Ｎｏ）、制御手段９は、ステップＳ３４の動作を維持しつつステップＳ３１に戻り、火災検出手段１１により火災の発生を監視するとともに放射性ガス検出手段４により放射性ガスおよび放射性希ガスを監視する。
【０１４５】
ステップＳ３８の後（またはステップＳ３７と並行して）、有害物質濃度が閾値を超えた場合（ステップＳ３９：Ｙｅｓ）、制御手段９は、部屋２の内部の有害物質を除去する（ステップＳ４０）。すなわち、ステップＳ３９において、制御手段９は、有害物質濃度検出部８Ｆによる有害物質濃度の検出結果を取得し、この有害物質濃度が閾値を超えた場合（例えば、一酸化炭素やアンモニアの濃度が人の健康を阻害する濃度となった場合）、ステップＳ４０において、有害物質除去手段８の送風機８Ｄを運転して開閉弁８Ｅを開作動させ、有害物質除去部８Ａに部屋２の内部の空気の一部を通過させた後に部屋２の内部に戻し、部屋２の内部の有害物質濃度を閾値以下となるようにする。この結果、部屋２の内部の人の健康を維持することができる。なお、ステップＳ３９において、有害物質濃度が閾値を超えていなければ（ステップＳ３９：Ｎｏ）、制御手段９は、ステップＳ３４の動作を維持しつつステップＳ３１に戻り、火災検出手段１１により火災の発生を監視するとともに放射性ガス検出手段４により放射性ガスおよび放射性希ガスを監視する。また、ステップＳ４０の後、制御手段９は、ステップＳ３４の動作を維持しつつステップＳ３１に戻り、火災検出手段１１により火災の発生を監視するとともに放射性ガス検出手段４により放射性ガスおよび放射性希ガスを監視する。また、ステップＳ３７をステップＳ３９と並行する場合、ステップＳ３８の後、制御手段９は、ステップＳ３４の動作を維持しつつステップＳ３１に戻り、火災検出手段１１により火災の発生を監視するとともに放射性ガス検出手段４により放射性ガスおよび放射性希ガスを監視する。
【０１４６】
なお、ステップＳ３１において、火災の発生が検出されない場合（ステップＳ３１：Ｎｏ）、制御手段９は、図１３における「Ａ」、すなわちステップＳ４１に進む。
【０１４７】
ステップＳ３１において、火災の発生が検出されず（ステップＳ３１：Ｎｏ）、ステップＳ４１において、放射性ガス検出手段４により放射性ガスが検出され（ステップＳ４１：Ｙｅｓ）、かつステップＳ４２において、放射性希ガスが検出された場合（ステップＳ４２：Ｙｅｓ）、制御手段９は、放射性ガス除去手段３および有毒ガス除去手段１０を停止して酸素ガス供給手段６を運転し部屋２の内部を正圧とする（ステップＳ４３）。すなわち、制御手段９は、ステップＳ３０の動作を続ける。
【０１４８】
なお、ステップＳ４２において、放射性希ガスが検出されない場合（ステップＳ４２：Ｎｏ）、制御手段９は、酸素ガス供給手段６および有毒ガス除去手段１０を停止して放射性ガス除去手段３を運転し部屋２の内部を正圧とする（ステップＳ４４）。すなわち、制御手段９は、酸素ガス供給手段６の流量調整弁６Ｃを閉状態とし放射性ガス除去手段３の送風機３Ｂを運転して開閉弁３Ｄを開作動させる一方バイパス開閉弁３Ｈを閉作動させ、かつ有毒ガス除去手段１０の有毒ガスフィルタバイパス開閉弁１０Ｈを開作動させる一方有毒ガスフィルタ開閉弁１０Ｄを閉作動させつつ部屋内圧力検出手段５により検出する圧力が部屋２の外部の圧力よりも高くなるように（例えば１０ｍｍＡｑ以上）圧力調整手段（圧力調整手段２Ｅ）を作動させる。この結果、部屋２の内部の人が有毒ガスや放射性ガスに曝される事態を防ぐことができる。また、ステップＳ４４の後、制御手段９は、ステップＳ４４の動作を維持しつつ、図１２における「Ｂ」、すなわちステップＳ３１に戻り、火災検出手段１１により火災の発生を監視するとともに放射性ガス検出手段４により放射性ガスおよび放射性希ガスを監視する。
【０１４９】
ステップＳ４３の後、二酸化炭素濃度が閾値を超えた場合（ステップＳ４５：Ｙｅｓ）、制御手段９は、部屋２の内部の二酸化炭素を除去する（ステップＳ４６）。すなわち、ステップＳ４５において、制御手段９は、二酸化炭素濃度検出部７Ｆによる二酸化炭素濃度の検出結果を取得し、この二酸化炭素濃度が閾値を超えた場合（例えば、通常３００ｐｐｍ〜３９０ｐｐｍ程度のところ、人の健康を阻害する二酸化炭素濃度で制御する場合には一例として３５００ｐｐｍ以上となった場合）、ステップＳ４６において、二酸化炭素除去手段７の送風機７Ｄを運転して開閉弁７Ｅを開作動させ、二酸化炭素除去部７Ａに部屋２の内部の空気の一部を通過させた後に部屋２の内部に戻し、部屋２の内部の二酸化炭素濃度を閾値（例えば３５００ｐｐｍ）以下となるようにする。この結果、部屋２の内部の人の健康を維持することができる。なお、ステップＳ４５において、二酸化炭素濃度が閾値を超えていなければ（ステップＳ４５：Ｎｏ）、制御手段９は、ステップＳ４３の動作を維持しつつ、図１２における「Ｂ」、すなわちステップＳ３１に戻り、火災検出手段１１により火災の発生を監視するとともに放射性ガス検出手段４により放射性ガスおよび放射性希ガスを監視する。
【０１５０】
ステップＳ４６の後（またはステップＳ４５と並行して）、有害物質濃度が閾値を超えた場合（ステップＳ４７：Ｙｅｓ）、制御手段９は、部屋２の内部の有害物質を除去する（ステップＳ４８）。すなわち、ステップＳ４７において、制御手段９は、有害物質濃度検出部８Ｆによる有害物質濃度の検出結果を取得し、この有害物質濃度が閾値を超えた場合（例えば、一酸化炭素やアンモニアの濃度が人の健康を阻害する濃度となった場合）、ステップＳ４８において、有害物質除去手段８の送風機８Ｄを運転して開閉弁８Ｅを開作動させ、有害物質除去部８Ａに部屋２の内部の空気の一部を通過させた後に部屋２の内部に戻し、部屋２の内部の有害物質濃度を閾値以下となるようにする。この結果、部屋２の内部の人の健康を維持することができる。なお、ステップＳ４７において、有害物質濃度が閾値を超えていなければ（ステップＳ４７：Ｎｏ）、制御手段９は、ステップＳ４３の動作を維持しつつ、図１２における「Ｂ」、すなわちステップＳ３１に戻り、火災検出手段１１により火災の発生を監視するとともに放射性ガス検出手段４により放射性ガスおよび放射性希ガスを監視する。また、ステップＳ４８の後、制御手段９は、ステップＳ４３の動作を維持しつつ、図１２における「Ｂ」、すなわちステップＳ３１に戻り、火災検出手段１１により火災の発生を監視するとともに放射性ガス検出手段４により放射性ガスおよび放射性希ガスを監視する。また、ステップＳ４５をステップＳ４７と並行する場合、ステップＳ４５の後、制御手段９は、ステップＳ４３の動作を維持しつつ、図１２における「Ｂ」、すなわちステップＳ３１に戻り、火災検出手段１１により火災の発生を監視するとともに放射性ガス検出手段４により放射性ガスおよび放射性希ガスを監視する。
【０１５１】
なお、ステップＳ４１において、放射性ガス検出手段４により放射性ガスが検出されない場合（ステップＳ４１：Ｎｏ）、制御手段９は、部屋２を外気に開放する（ステップＳ４９）。すなわち、制御手段９は、ステップＳ３１において火災の発生がなく、かつステップＳ４１において、放射性ガスが検出されず安全が確認された場合、ステップＳ４９において、放射性ガス除去手段３、有毒ガス除去手段１０、酸素ガス供給手段６および圧力調整手段を停止する。また、ステップＳ４９の後は、再びステップＳ３１に戻り、火災検出手段１１により火災の発生を監視するとともに放射性ガス検出手段４により放射性ガスおよび放射性希ガスの監視を行う。
【０１５２】
ところで、ステップＳ３０は、なくてもよいが、原子力設備に事故が発生した場合に、部屋２の内部の人が有毒ガスや放射性ガスや放射性希ガスに曝される事態を防ぐ効果を顕著に得るため、火災検出手段１１および放射性ガス検出手段４により火災の発生や放射性ガスや放射性希ガスを検出する以前に、放射性ガス除去手段３および有毒ガス除去手段１０を停止して酸素ガス供給手段６を運転し部屋２の内部を正圧とすることが好ましい。
【０１５３】
このように、本実施形態の換気システム１は、上述した実施形態１の換気システム１において、部屋２の外部に設けられて有毒ガスの通過を遮断する有毒ガスフィルタ部１０Ａと、有毒ガスフィルタ部１０Ａの下流側とフィルタ部３Ａの上流側とを連通する有毒ガスフィルタ送気管１０Ｃと、有毒ガスフィルタ送気管１０Ｃに設けられて当該有毒ガスフィルタ送気管１０Ｃを開閉する有毒ガスフィルタ開閉弁１０Ｄと、部屋２の外部に設けられて火災の発生を検出する火災検出手段１１と、有毒ガスフィルタ送気管１０Ｃにおける有毒ガスフィルタ開閉弁１０Ｄの下流側に接続されて外気に通じる有毒ガスフィルタバイパス管１０Ｇと、有毒ガスフィルタバイパス管１０Ｇに設けられて当該有毒ガスフィルタバイパス管１０Ｇを開閉する有毒ガスフィルタバイパス開閉弁１０Ｈと、有毒ガスフィルタ送気管１０Ｃにおける有毒ガスフィルタ開閉弁１０Ｄの下流側に一端が接続され、送気管３Ｃにおける開閉弁３Ｄの下流側であって送風機３Ｂの上流側に他端が接続されたバイパス管３Ｇと、バイパス管３Ｇに設けられて当該バイパス管３Ｇを開閉するバイパス開閉弁３Ｈと、をさらに備えている。そして、制御手段９は、火災検出手段１１により火災の発生が検出されて放射性ガス検出手段４により放射性希ガスおよび放射性ガスが検出されない場合、送風機３Ｂを運転し、有毒ガスフィルタバイパス開閉弁１０Ｈおよび開閉弁３Ｄを閉作動させるとともに有毒ガスフィルタ開閉弁１０Ｄおよびバイパス開閉弁３Ｈを開作動させ、かつ部屋内圧力検出手段５により検出する圧力が部屋２の外部の圧力よりも高くなるように圧力調整手段（圧力調整手段２Ｅ）を作動させ、または火災検出手段１１により火災の発生が検出されて放射性ガス検出手段４により放射性希ガスを除き放射性ガスが検出された場合、送風機３Ｂを運転し、有毒ガスフィルタバイパス開閉弁１０Ｈおよびバイパス開閉弁３Ｈを閉作動させるとともに有毒ガスフィルタ開閉弁１０Ｄおよび開閉弁３Ｄを開作動させ、かつ部屋内圧力検出手段５により検出する圧力が部屋２の外部の圧力よりも高くなるように圧力調整手段（圧力調整手段２Ｅ）を作動させ、あるいは火災検出手段１１により火災の発生が検出されず放射性ガス検出手段４により放射性希ガスを除き放射性ガスが検出された場合、送風機３Ｂを運転し、有毒ガスフィルタ開閉弁１０Ｄおよびバイパス開閉弁３Ｈを閉作動させるとともに有毒ガスフィルタバイパス開閉弁１０Ｈおよび開閉弁３Ｄを開作動させ、かつ部屋内圧力検出手段５により検出する圧力が部屋２の外部の圧力よりも高くなるように圧力調整手段（圧力調整手段２Ｅ）を作動させ、もしくは火災検出手段１１により火災の検出に関わらず放射性ガス検出手段４により放射性希ガスが検出された場合、送風機３Ｂを停止して有毒ガスフィルタ開閉弁１０Ｄ、有毒ガスフィルタバイパス開閉弁１０Ｈ、開閉弁３Ｄおよびバイパス開閉弁３Ｈを閉作動させ、かつ酸素ガス供給手段６を作動させつつ部屋内圧力検出手段５により検出する圧力が部屋２の外部の圧力よりも高くなるように圧力調整手段（圧力調整手段２Ｅや流量調整弁６Ｃ）を作動させる。
【０１５４】
原子力設備では、当該原子力設備を制御・監視するための制御室や、制御室に従事する人の居住空間が必要である。そして、万が一の事故発生時において、制御室（制御室が何らかの損傷を受けた場合は原子力設備の制御・監視を行う代替制御室２１）や居室（居室が何らかの損傷を受けた場合は代替居室２２、または住民の避難のための非常用居室、あるいは原子力設備近くにあって緊急に避難することが困難な病院や介護施設）などのような部屋２の内部の人の被曝を防止し、呼吸を維持する必要がある。ただし、放射性ガス（ガス状の放射性よう素やミスト状のセシウムやストロンチウムなどの放射性物質を空気中に含むガス）は、フィルタにより除去できるが、炉心溶融などの初期に発生する放射性希ガス（キセノン、クリプトンなどを空気中に含むガス）はフィルタでは十分に除去しきれない。そこで、本実施形態の換気システム１によれば、放射性希ガスを検出した場合、部屋２を外気から遮断して酸素ガスを供給し部屋２の内部の圧力を正圧とすることで、放射性ガスを含み放射性希ガスが部屋２の内部へ送られる事態を防ぐことができ、部屋２の内部の人の呼吸を維持することができる。一方、本実施形態の換気システム１によれば、放射性希ガスの発生時期は炉心溶融などの初期に限定されるため、放射性希ガスを除き放射性ガスを検出した場合は、フィルタ部３Ａにより放射性ガスを除去し、部屋２の内部の圧力を正圧とすることで、放射性ガスが部屋２の内部へ送られる事態を防ぐことができ、部屋２の内部の人の呼吸を維持することができる。しかも、本実施形態の換気システム１によれば、部屋２の近くで火災が発生した場合は、有毒ガスフィルタ部１０Ａにより火災に伴い発生し得る有毒ガスを除去し、部屋２の内部の圧力を正圧とすることで、有毒ガスが部屋２の内部へ送られる事態を防ぐことができ、部屋２の内部の人の呼吸を維持することができる。
【０１５５】
ところで、本実施形態の換気システム１では、図１０に示すように、有毒ガスフィルタ送気管１０Ｃにおける有毒ガスフィルタ開閉弁１０Ｄの下流側に一端が接続され、部屋２に他端が接続され、送風機３Ｂの運転に伴いフィルタ部３Ａを介して部屋２に空気が循環する循環管１２Ａと、この循環管１２Ａを開閉する循環開閉弁１２Ｂを設けてもよい。そして、制御手段９は、放射性ガス除去手段３を運転するときのみ循環開閉弁１２Ｂを開作動させる。このため、部屋２内の空気をフィルタ部３Ａにて清浄化することができる。
【０１５６】
また、本実施形態の換気システム１では、部屋２の内部の空気を一部取り込み、取り込んだ空気中の二酸化炭素を除去し、二酸化炭素を除去した空気を部屋２の内部に送る二酸化炭素除去手段７を備えることが好ましい。
【０１５７】
部屋２を外気から遮断し、この期間が長引くことで、人の呼気により部屋２の内部の二酸化炭素濃度が増加する。そこで、本実施形態の換気システム１によれば、二酸化炭素除去手段７を備えることで、部屋２の内部の人の健康を維持することができる。
【０１５８】
また、本実施形態の換気システム１では、部屋２の内部の空気を一部取り込み、取り込んだ空気中の有害物質を除去し、有害物質を除去した空気を部屋２の内部に送る有害物質除去手段８を備えることが好ましい。
【０１５９】
部屋２を外気から遮断し、この期間が長引くことで、一酸化炭素（ＣＯ）や、アンモニア（ＮＨ３）などの人体に有害となる有害物質濃度が増加する。そこで、本実施形態の換気システム１によれば、有害物質除去手段８を備えることで、部屋２の内部の人の健康を維持することができる。
【０１６０】
また、本実施形態の換気システム１では、有毒ガスフィルタ部１０Ａは、有毒ガスフィルタ送気管１０Ｃに対して着脱可能に設けられることが好ましい。
【０１６１】
この換気システム１によれば、有毒ガスフィルタ部１０Ａを有毒ガスフィルタ送気管１０Ｃに対して着脱可能に設けることで、有毒ガスフィルタ部１０Ａを交換することができる。この結果、原子力設備の制御・監視を継続して行うことができ、または原子力設備に従事する人や原子力設備近くの住民の安全を確保することができる。
【０１６２】
また、本実施形態の換気システム１では、部屋２は、原子力設備を制御・監視する制御室（代替制御室２１を含む）である。
【０１６３】
この換気システム１によれば、原子力設備を制御・監視する制御室（代替制御室２１を含む）の内部に対して有毒ガスや放射性ガスや放射性希ガスが送られる事態を防ぎ、かつ部屋２の内部に酸素を供給することで、原子力設備の制御・監視を継続して行うことができる。
【０１６４】
また、本実施形態の換気システム１では、部屋２は、居室である。
【０１６５】
この換気システム１によれば、居室（代替居室２２や非常用居室を含む）の内部に対して有毒ガスや放射性ガスや放射性希ガスが送られる事態を防ぎ、かつ部屋２の内部に酸素を供給することで、原子力設備に従事する人や原子力設備近くの住民の安全を確保することができる。
【０１６６】
また、本実施形態の換気システム１では、部屋２および部屋２に付属する構成は、一体または個別で移動可能に構成されることが好ましい。
【０１６７】
部屋２が移動可能とは、部屋２が代替制御室２１や代替居室２２として構成され、図には明示しないが、移動手段としてのトレーラにおける荷台に搭載されるコンテナとして構成されていたり、部屋２が移動手段としてのヘリコプターやクレーンなどで吊り下げられる吊具を有していたりしているものをいう。また、部屋２に付属する構成とは、上述した放射性ガス除去手段３、放射性ガス検出手段４、部屋内圧力検出手段５、酸素ガス供給手段６、二酸化炭素除去手段７、有害物質除去手段８、制御手段９、有毒ガス除去手段１０、火災検出手段１１、または循環管１２Ａおよび循環開閉弁１２Ｂを含む。
【０１６８】
この換気システム１によれば、部屋２および部屋２に付属する構成は、一体または個別で移動可能に構成されることで、原子力設備の事故時において、部屋２を適した箇所に移動して設置することで、原子力設備の制御・監視を継続して行うことができ、または原子力設備に従事する人や原子力設備近くの住民の安全を確保することができる。
【０１６９】
有毒ガスフィルタ部１０Ａの交換に際しては、有毒ガス除去手段１０の運転時間（有毒ガス除去手段１０に起因する送風機３Ｂの運転時間）を制御手段９において予め設定しておく。そして、当該設定時間が経過した場合、制御手段９は、フィルタ交換時期を部屋２の内部のランプや制御盤（図示せず）に表示し、有毒ガスフィルタ部１０Ａの交換を促す。
【０１７０】
なお、図１０に示す有毒ガス除去手段１０および火災検出手段１１は、図７に示す実施形態２の換気システム１や、図８に示す実施形態３の換気システム１にも適用することができる。
【符号の説明】
【０１７１】
１  換気システム
２  部屋
２Ｅ  圧力調整手段
３  放射性ガス除去手段
３Ａ  フィルタ部
３Ｂ  送風機
３Ｃ  送気管
３Ｃａ，３Ｃｂ  分岐管
３Ｄ  開閉弁
３Ｅ  排気管
３Ｆ  三方弁
３Ｇ  バイパス管
３Ｈ  バイパス開閉弁
４  放射性ガス検出手段
５  部屋内圧力検出手段
６  酸素ガス供給手段
６Ｃ  流量調整弁（圧力調整手段）
７  二酸化炭素除去手段
８  有害物質除去手段
９  制御手段
１０  有毒ガス除去手段
１０Ａ  有毒ガスフィルタ
１０Ｃ  有毒ガスフィルタ送気管
１０Ｄ  有毒ガスフィルタ開閉弁
１０Ｇ  有毒ガスフィルタバイパス管
１０Ｈ  有毒ガスフィルタバイパス開閉弁
１１  火災検出手段
【図１】
2015007603.tif 000003
【図２】
2015007603.tif 000004
【図３】
2015007603.tif 000005
【図４】
2015007603.tif 000006
【図５】
2015007603.tif 000007
【図６】
2015007603.tif 000008
【図７】
2015007603.tif 000009
【図８】
2015007603.tif 000010
【図９】
2015007603.tif 000011
【図１０】
2015007603.tif 000012
【図１１】
2015007603.tif 000013
【図１２】
2015007603.tif 000014
【図１３】
2015007603.tif 000015